(57)【要約】【課題】運動を行う利用者において英単語等の暗記を確実に行うことができるようにする配信装置等を提供する。【解決手段】ユーザに配信される運動用楽曲の一部を、記憶対象となる語等のアクセントを一小節の強拍に相当するタイミングに合わせて発音させた記憶対象語音声データに代えてユーザに配信し、そのユーザの運動中にその記憶対象語音声データを聴取させることで、いわゆるランニングハイ状態になったときの暗記に供させる。【選択図】図９
2010079069.tif 000002
【特許請求の範囲】
【請求項１】
記憶者が記憶する記憶事項を内容とする音声に相当し且つ当該記憶者が前記記憶事項を記憶する際に再生する音声情報を当該記憶者の端末装置に配信する配信装置であって、
予め設定されている前記記憶事項を内容とする音声に相当する前記音声情報であって、予め設定されたテンポにおける強拍のタイミングのいずれかで前記音声におけるアクセントが発声されるように構成された音声情報を蓄積する音声情報蓄積手段と、
前記端末装置から送信されて来る選択情報を受信する受信手段と、
前記受信された選択情報において選択されている前記音声情報を前記音楽情報蓄積手段内において検索する検索手段と、
前記検索された音楽情報を、前記選択情報を送信して来た前記端末装置に送信する送信手段と、
を備えることを特徴とする配信装置。
【請求項２】
請求項１に記載の配信装置において、
前記テンポは、前記記憶者が行う運動の速度に対応した一定のテンポであることを特徴とする配信装置。
【請求項３】
請求項１又は２に記載の配信装置において、
前記記憶者が運動をする際に携行する再生装置により再生され且つ当該運動の速度に対応したテンポを有する運動用楽曲に相当する楽曲情報を蓄積する楽曲情報蓄積手段を更に備え、
前記送信手段は、前記受信された選択情報において前記音声情報と共に前記楽曲情報が選択されているとき、予め設定されている演奏時間分の前記運動用楽曲に相当する前記楽曲情報の後に続いて前記選択された音声情報が前記再生装置において再生されるように、当該楽曲情報に続けて当該音声情報を前記端末装置に送信し、
前記音声情報における前記テンポが、前記楽曲情報における前記テンポと同一且つ当該楽曲情報におけるテンポに連続するテンポとされており、
更に前記演奏時間は、前記記憶者の記憶力が向上する状態に当該記憶者がなるために必要だとして予め設定されている前記運動開始後の演奏時間であることを特徴とする配信装置。
【請求項４】
請求項１から３のいずれか一項に記載の配信装置であって、
前記音声情報において、対として記憶されるべき前記記憶事項の一方に相当する当該音楽情報の区間が無音とされていることを特徴とする配信装置。
【請求項５】
請求項１から４のいずれか一項に記載の配信装置において、
前記受信手段は、前記記憶者が作成して送信して来たオリジナル記憶事項を受信し、
前記受信したオリジナル記憶事項を用いて、当該オリジナル記憶事項を内容とする前記音声に相当する前記音声情報であって、前記のテンポにおける強拍のタイミングのいずれかで前記音声におけるアクセントが発声されるよう前記音声情報を生成する音声情報生成手段を更に備え、
前記送信手段は、前記生成された音声情報を、前記オリジナル記憶事項を送信して来た前記端末装置に送信することを特徴とする配信装置。
【請求項６】
記憶者が記憶する記憶事項を内容とする音声に相当し且つ当該記憶者が前記記憶事項を記憶する際に再生する音声情報を当該記憶者の端末装置に配信する配信装置において実行される配信方法であって、
前記配信装置は、予め設定されている前記記憶事項を内容とする音声に相当する前記音声情報であって、予め設定されたテンポにおける強拍のタイミングいずれかで前記音声におけるアクセントが発声されるように構成された音声情報を蓄積する音声情報蓄積手段を備えており、
前記端末装置から送信されて来る選択情報を受信する受信工程と、
前記受信された選択情報において選択されている前記音声情報を前記音楽情報蓄積手段内において検索する検索工程と、
前記検索された音楽情報を、前記選択情報を送信して来た前記端末装置に送信する送信工程と、
を含むことを特徴とする配信方法。
【請求項７】
コンピュータを、請求項１から５のいずれか一項に記載の配信装置として機能させることを特徴とする配信用プログラム。
【発明の詳細な説明】
【技術分野】
【０００１】
本発明は、楽曲データベースから取得される複数の楽曲により構成され、利用者が運動中や散歩中等に聴取する運動用楽曲を作成して当該利用者に配信する配信装置及び配信方法等の技術分野に関する。
【背景技術】
【０００２】
従来から、楽曲（音楽）を聴きながら、体操、ダンス、エアロビクスなどの運動を行うことが広く行われている。また、近年では、携帯型の楽曲再生プレーヤが非常に小型化されたため、楽曲を聴きながら、ウォーキング、ジョギング、マラソンなどの屋外での運動を行うことが可能になっている。
【０００３】
このように、楽曲を聴きながら運動を行うと、当該運動を促進させその効果を高めることができる。また、運動中や散歩中等に聴く楽曲のテンポは、その動きや運動負荷に合ったテンポであることが必要である。特許文献１には、運動者の脈拍を計測し、計測された脈拍から求まる運動負荷に応じて段階的に楽曲の再生テンポを変化させる技術が開示されている。
【０００４】
一方、上述してきたジョギング等の運動を継続していると、いわゆるランニングハイ（又はランナーズハイとも称される）と言われる、気分が高揚した状態になることが知られている。このランニングハイは、脳内物質であるエンドルフィンが分泌されることが原因と言われているが、この状態になると、本来苦しいと感じるべき身体状態となっても精神的にはそれほど苦痛を感じなくなる。そして、このランニングハイの状態で物事を記憶すると、その記憶した内容は、運動中でないときに記憶した場合よりも忘却し難い状態を維持し易い場合が多いと言われている。
【特許文献１】特開平１０−６３２６５号公報
【発明の開示】
【発明が解決しようとする課題】
【０００５】
ところで、特許文献１では脈拍を計測するための機器を運動者に装着しなければならず特に屋外での運動においては当該機器が運動の妨げになる可能性があり、また、当該機器のコスト面での問題もありうる。
【０００６】
このため、今後は、運動者の運動負荷を計測することなく、例えば、健康維持、ダイエット、マラソンレース出場等の運動目標に合い、なお且つ当該運動時間に合った長さの運動用楽曲を手軽に入手できる仕組みが望まれる。このような運動用楽曲としては、例えば運動に合ったテンポの楽曲を運動時間に合った長さになるように複数繋げて構成すること考えられ、このように構成された運動用楽曲を利用者の楽曲再生プレーヤに提供することが考えられる。
【０００７】
また、上記運動用楽曲を聴取しながら運動を継続することによってライニングハイとなった状態で、例えば英単語の暗記などを行うことができれば、運動中でないときに記憶した場合に比してより多く且つ確実に当該暗記を行うことができると考えられる。
【０００８】
そこで、本発明は、以上の点に鑑みてなされたものであり、運動を行う利用者において英単語等の暗記を確実に行うことができるようにする配信装置、配信方法及び配信用プログラムを供すること等をその課題とする。
【課題を解決するための手段】
【０００９】
上記の課題を解決するために、請求項１に記載の発明は、記憶者が記憶する記憶事項を内容とする音声に相当し且つ当該記憶者が前記記憶事項を記憶する際に再生する音声情報を当該記憶者の端末装置に配信する配信装置であって、予め設定されている前記記憶事項を内容とする音声に相当する前記音声情報であって、予め設定されたテンポにおける強拍のタイミングのいずれかで前記音声におけるアクセントが発声されるように構成された音声情報を蓄積する記憶部等の音声情報蓄積手段と、前記端末装置から送信されて来る選択情報を受信する通信部等の受信手段と、前記受信された選択情報において選択されている前記音声情報を前記音楽情報蓄積手段内において検索する制御部等の検索手段と、前記検索された音楽情報を、前記選択情報を送信して来た前記再生装置に送信する通信部等の送信手段と、を備える。
【００１０】
よって、記憶事項を内容とする音声に相当し、且つテンポにおける強拍のタイミングのいずれかで音声におけるアクセントが発声されるように構成された音声情報を配信装置から端末装置に配信するので、当該テンポに合わせて記憶事項が聴きやすく発声されることで、当該記憶事項の記憶（暗記）をより確実に行うことができる。
【００１１】
上記の課題を解決するために、請求項２に記載の発明は、請求項１に記載の配信装置において、前記のテンポは、前記記憶者が行う運動の速度に対応した一定のテンポであるように構成される。
【００１２】
よって、音声情報に係るテンポが、その音声情報に対応する記憶事項を記憶しようとする記憶者が行う運動の速度に対応した一定のテンポであるので、運動のテンポに連動させて記憶事項を発声しつつ記憶させることができ、当該記憶事項の記憶をより確実に行うことができる。
【００１３】
上記の課題を解決するために、請求項３に記載の発明は、請求項１又は２に記載の配信装置において、前記記憶者が運動をする際に携行する再生装置により再生され且つ当該運動の速度に対応したテンポを有する運動用楽曲に相当する楽曲情報を蓄積する記憶部等の楽曲情報蓄積手段を更に備え、前記送信手段は、前記受信された選択情報において前記音声情報と共に前記楽曲情報が選択されているとき、予め設定されている演奏時間分の前記運動用楽曲に相当する前記楽曲情報の後に続いて前記選択された音声情報が前記再生装置において再生されるように、当該楽曲情報に続けて当該音声情報を前記端末装置に送信し、前記音声情報における前記テンポが、前記楽曲情報における前記テンポと同一且つ当該楽曲情報におけるテンポに連続するテンポとされており、更に前記演奏時間は、前記記憶者の記憶力が向上する状態に当該記憶者がなるために必要だとして予め設定されている前記運動開始後の演奏時間であるように構成される。
【００１４】
よって、運動用楽曲のテンポに連続したテンポを有する音声情報を、記憶者の記憶力が向上する状態に当該記憶者がなるために必要だとして予め設定されている運動開始後の演奏時間分の運動用楽曲の後に続いて再生されるように配信するので、当該記憶力を向上させて更に確実に記憶事項の記憶を行うことができる。
【００１５】
上記の課題を解決するために、請求項４に記載の発明は、請求項１から３のいずれか一項に記載の配信装置であって、前記音声情報において、対として記憶されるべき前記記憶事項の一方に相当する当該音楽情報の区間が無音とされているように構成される。
【００１６】
よって、音声情報において、対として記憶されるべき記憶事項の一方に相当する当該音楽情報の区間が無音とされているので、当該記憶事項の記憶が確実に行われたか否かを確認する場合にも当該音声情報を用いることができる。
【００１７】
上記の課題を解決するために、請求項５に記載の発明は、請求項１から４のいずれか一項に記載の配信装置において、前記受信手段は、前記記憶者が作成して送信して来たオリジナル記憶事項を受信し、前記受信したオリジナル記憶事項を用いて、当該オリジナル記憶事項を内容とする前記音声に相当する前記音声情報であって、前記のテンポにおける強拍のタイミングのいずれかで前記音声におけるアクセントが発声されるよう前記音声情報を生成する音声情報生成手段を更に備え、前記送信手段は、前記生成された音声情報を、前記オリジナル記憶事項を送信して来た前記端末装置に送信するように構成される。
【００１８】
よって、予め蓄積されている音声情報に代えて、記憶者が自ら作成したオリジナル記憶事項から音声情報を生成して当該端末装置に送信して再生させることができるので、その記憶者独自で記憶したいと所望するオリジナル記憶事項を確実に記憶させることができる。
【００１９】
上記の課題を解決するために、請求項６に記載の発明は、記憶者が記憶する記憶事項を内容とする音声に相当し且つ当該記憶者が前記記憶事項を記憶する際に再生する音声情報を当該記憶者の端末装置に配信する配信装置において実行される配信方法であって、前記配信装置は、予め設定されている前記記憶事項を内容とする音声に相当する前記音声情報であって、予め設定されたテンポにおける強拍のタイミングいずれかで前記音声におけるアクセントが発声されるように構成された音声情報を蓄積する記憶部等の音声情報蓄積手段を備えており、前記端末装置から送信されて来る選択情報を受信する受信工程と、前記受信された選択情報において選択されている前記音声情報を前記音楽情報蓄積手段内において検索する検索工程と、前記検索された音楽情報を、前記選択情報を送信して来た前記端末装置に送信する送信工程と、を含む。
【００２０】
よって、記憶事項を内容とする音声に相当し、且つテンポにおける強拍のタイミングのいずれかで音声におけるアクセントが発声されるように構成された音声情報を配信装置から端末装置に配信するので、当該テンポに合わせて記憶事項が聴きやすく発声されることで、当該記憶事項の記憶（暗記）をより確実に行うことができる。
【００２１】
上記の課題を解決するために、請求項７に記載の発明は、コンピュータを、請求項１から５のいずれか一項に記載の配信装置として機能させる。
【００２２】
よって、当該配信用プログラムをコンピュータにより読み出して実行することにより、記憶事項を内容とする音声に相当し、且つテンポにおける強拍のタイミングのいずれかで音声におけるアクセントが発声されるように構成された音声情報を配信装置から端末装置に配信するように当該コンピュータが機能するので、当該テンポに合わせて記憶事項が聴きやすく発声されることで、当該記憶事項の記憶（暗記）をより確実に行うことができる。
【発明の効果】
【００２３】
本発明によれば、記憶事項を内容とする音声に相当し、且つテンポにおける強拍のタイミングのいずれかで音声におけるアクセントが発声されるように構成された音声情報を配信装置から端末装置に配信するので、当該テンポに合わせて記憶事項が聴きやすく発声されることで、当該記憶事項の記憶（暗記）をより確実に行うことができる。
【発明を実施するための最良の形態】
【００２４】
以下、本発明の最良の実施形態を図面に基づいて説明する。なお、以下に説明する実施の形態は、通信システムに本発明を適用した場合の実施形態である。
【００２５】
（１）通信システムの構成等
始めに、本実施形態に係る通信システムＳの概要構成等について、図１を用いて説明する。
【００２６】
図１は、本実施形態に係る通信システムＳの概要構成の一例を示すブロック図である。
【００２７】
図１に示すように、通信システムＳは、配信装置の一例としての楽曲配信サーバ１と、複数のユーザＰＣ（Personal Computer）２と、各ユーザＰＣ２に夫々接続可能な複数の携帯音楽プレーヤ３と、を含んで構成されている。
【００２８】
楽曲配信サーバ１とユーザＰＣ２とは、ネットワークＮＷを介して、例えば、通信プロトコルにＴＣＰ／ＩＰ（Transmission Control Protocol/Internet Protocol）等を用いて相互にデータの送受信が可能である。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２９】
また、ユーザＰＣ２と携帯音楽プレーヤ３とは、例えば、ＵＳＢ（Universal Serial Bus）やIEEE（The Institute of Electrical and Electronics Engineers, Inc.）1394等のバス規格に対応したケーブル等を介して、又は、Bluetooth（IEEE 802.15.1）等の無線通信により、相互にデータの送受信が可能である。なお、ユーザＰＣ２と携帯音楽プレーヤ３との間におけるデータの授受は、メモリカード等の記録媒体を介して行われるようにしても良い。
【００３０】
このような構成の通信システムＳにおいて、楽曲配信サーバ１は、ユーザＰＣ２からの要求等に応じ、運動用楽曲の一例として、ユーザがジョギングしている最中等に聴く楽曲のデータであるジョギング用楽曲データを作成し、このジョギング用楽曲データをユーザＰＣ２に送信する。
【００３１】
これに加えて本実施形態の楽曲配信サーバ１は、上記ジョギング用楽曲データを聴取しつつ運動を行うユーザが記憶することを所望する英単語訳や年号等を読み上げた音声に相当する音声データを、そのユーザが所有するユーザＰＣ２に送信する。なお、当該記憶することを所望する英単語訳等を、纏めて以下「記憶対象語」と称し、後述するように一又は複数の楽曲に対応し且つ複数の記憶対象語を含む一纏まりを以下「記憶対象語群」と称する。また、記憶対象語自体を例えばテキスト読み上げ機能（テキスト読み上げソフトウェア等を用いて実現される読み上げ機能）を用いて読み挙げて得られる音声自体を、以下「記憶対象語音声」と称する。更に記憶対象語音声に相当する音声データを、以下単に「記憶対象語音声データ」と称する。更にまた、上記ジョギング用楽曲データ及び記憶対象語音声データを纏めて「ジョギング用楽曲データ等」と称する。
【００３２】
ユーザＰＣ２にダウンロードされたジョギング用楽曲データ等は、ユーザ操作等により、有線、無線又は記録媒体を介して携帯音楽プレーヤ３に転送される。そして、ユーザは、携帯音楽プレーヤ３にそのジョギング用楽曲データ等を再生させることにより、ジョギング用の楽曲を聴きながらジョギング等を行うと共に、当該楽曲聴取後にランニングハイとなった状態において上記記憶対象語に対応する記憶対象語音声を聞いてその記憶を行う。
【００３３】
詳細は後述するが、このジョギング用楽曲データ等は、複数の楽曲のデータ及び記憶対象語群に相当する複数の記憶対象語音声データにより構成されており、ユーザの目標等に合うトレーニングコースに対応した演奏時間及びテンポで各楽曲及び記憶対象語音声が再生されるように作成されている。また、本実施形態において、このジョギング用楽曲データについては、各楽曲の主要部（前奏、後奏等を除いた部分）が連続するメドレーとして再生されるように構成されている。
【００３４】
更に、ジョギング用楽曲データ等がダウンロードされると、そのジョギング用楽曲データ等の購入代金（ジョギング用楽曲データ等を構成する楽曲の曲数又は記憶対象語群の数等に応じた著作権料等を含む）がシステム側からユーザに対して請求される。
【００３５】
なお、ユーザＰＣ２は、例えば、一般的な構成のパーソナルコンピュータを用いることが可能であり、また、携帯音楽プレーヤ３も、例えば、一般的な構成の携帯用のデジタルオーディオプレーヤを用いることができる。
【００３６】
（２）楽曲配信サーバの構成及び機能等
（２．１）楽曲配信サーバの構成
次に、楽曲配信サーバ１の構成及び機能等について説明するが、始めに、楽曲配信サーバ１の構成について、図２を用いて説明する。
【００３７】
図２は、本実施形態に係る楽曲配信サーバ１の概要構成の一例を示すブロック図である。
【００３８】
図２に示すように、楽曲配信サーバ１は、ＣＰＵ（Central Processing Unit）、ＲＯＭ（Read Only Memory）、ＲＡＭ（Random Access Memory）等を備える制御部１１と、各種データ及びプログラムを記憶する楽曲情報蓄積手段及び音声情報蓄積手段の一例としての記憶部１２（例えば、ハードディスクドライブ等）と、ネットワークＮＷに接続して、ユーザＰＣ２等との通信状態を制御する受信手段及び送信手段夫々の一例としての通信部１３と、ＷＡＶフォーマット（RIFF（Resource Interchange File Format） waveform Audio Format）の楽曲データ及び記憶対象語音声データをＭＰ３（MPEG Audio Layer-3）フォーマットの楽曲データ及び記憶対象語音声データにエンコードするエンコーダ部１４と、を含んで構成されており、制御部１１と各部とはシステムバス１５を介して接続されている。
【００３９】
制御部１１は、本発明において、検索手段の一例を構成する。そして、制御部１１は、ＣＰＵが、ＲＯＭや記憶部１２に記憶された各種プログラムを読み出して実行することにより楽曲配信サーバ１の各部を統括制御すると共に、後述するパーツＷＡＶデータデータベースプログラム２０１、サーバシステムプログラム２０２、ＷＥＢサイトプログラム２０３等を読み出し実行することにより、上記検索手段の一例等として機能する。
【００４０】
（２．２）データ及びプログラム等
次に、記憶部１２に記憶されるデータ及びプログラムのソフトウェア構成等について、図３乃至図８を用いて説明する。
【００４１】
図３は、パーツＷＡＶデータデータベースに登録されるデータ、及び、楽曲配信サーバ１におけるソフトウェアの概要構成の一例を示す図である。また、図４は、トレーニングコースを選択するためのメニュー構成の一例を示す図である。また、図５は、あるトレーニングコースにおける、各ステップのジョギング用楽曲データの仕様の一例を示す図である。また、図６は、各ステップにおけるジョギング用楽曲データの概要構成の一例を示す図である。また、図７は、各ジョギング時間におけるジョギング用楽曲データの概要構成の一例を示す図である。また、図８は、ジョギング用楽曲データの１ファイルのデータ構造の概要例を示す図である。
【００４２】
記憶部１２には、ユーザの個人情報（例えば、氏名、年齢、メールアドレス、ユーザＩＤ、パスワード等）、ユーザのトレーニング情報（例えば、選択されたトレーニングコース、当該トレーニングコースのジョギング用楽曲データ等を最初にダウンロードした日時、現在のステップ、ジョギング用楽曲データ等を構成する楽曲又は記憶対象語音声の内容及び演奏順等を示す演奏リスト）、作成されたジョギング用楽曲データ等、ユーザの選曲又は記憶対象語音声の履歴を示す履歴情報（例えば、選択された楽曲、アルバム、アーティスト、ジャンル又は記憶対象語群等を時系列で示す情報）等が、ユーザ毎に対応付けて記憶されている。
【００４３】
また、記憶部１２には、ジョギング用楽曲データ等を構成するパーツとなるパーツデータが登録されるパーツＷＡＶデータデータベースが構築されている。更にまた、記憶部１２には、図３に示すパーツＷＡＶデータデータベースプログラム２０１、サーバシステムプログラム２０２、ＷＥＢサイトプログラム２０３等が記憶されている。
【００４４】
上記パーツＷＡＶデータデータベースには、図３に示す楽曲本体ＷＡＶパーツデータ１０１、ジョギングアレンジ曲間つなぎＷＡＶパーツデータ１０２、ジョギングアレンジ音声ガイダンスＷＡＶパーツデータ１０３、ＤＪ音声ＷＡＶパーツデータ１０４、記憶対象語ＷＡＶパーツデータ３０１等が、ＷＡＶフォーマットで登録されている。
【００４５】
楽曲本体ＷＡＶパーツデータ１０１は、ジョギング用の楽曲（上記記憶対象語音声を除いた楽曲）を構成する主要的な位置を占める楽曲本体のＷＡＶデータであり、全てのデータが同一のテンポ（本実施形態においては、１４０ＢＰＭ（Beats Per Minute））で記録されている。そして、楽曲本体ＷＡＶパーツデータ１０１は、図３に示す楽曲本体ＭＩＤＩデータ１０５とジョギングアレンジドラムベースＷＡＶデータ１０６とに基づき、楽曲本体ＷＡＶパーツデータ書き出しプログラム２０４を用いて作成される。
【００４６】
楽曲本体ＭＩＤＩデータ１０５は、楽曲本体ＷＡＶパーツデータ１０１の原曲が記録されたＭＩＤＩ（Musical Instrument Digital Interface）フォーマットのデータである。また、上記ジョギングアレンジドラムベースＷＡＶデータ１０６は、ドラムやシンバル等によるリズム音等が記録されたＷＡＶデータであり、楽曲本体ＭＩＤＩデータ１０５の原曲をジョギング用にアレンジするために用いられるデータである。
【００４７】
楽曲本体ＷＡＶパーツデータ書き出しプログラム２０４においては、楽曲本体ＭＩＤＩデータ１０５から、前奏部分、後奏部分、間奏部分等が小節単位で削除され、残った主要部分に対して１４０ＢＰＭでテンポが調整される。このとき、調整前と調整後とでは、音程が変わらないように調整が行われる。そして、当該主要部分の楽曲本体ＭＩＤＩデータ１０５のフォーマットがＷＡＶフォーマットに変換され、ジョギングアレンジドラムベースＷＡＶデータ１０６と合成されて、ジョギング用のアレンジ（例えば、ハウスミュージック調）が施される。こうして作成された楽曲データが楽曲本体ＷＡＶパーツデータ１０１である。
【００４８】
なお、楽曲本体ＷＡＶパーツデータ書き出しプログラム２０４は、楽曲配信サーバ１にインストールされて、制御部１１により実行されるようにしても良いし、他の情報処理装置にインストールされて、当該装置上で実行されるようにしても良い。
【００４９】
一方、記憶対象語ＷＡＶパーツデータ３０１は、上記記憶対象語音声としてのＷＡＶデータであり、全てのデータが同一のテンポ（本実施形態においては、楽曲本体ＷＡＶパーツデータ１０１と同一の１４０ＢＰＭ）で記録されている。そして、記憶対象語ＷＡＶパーツデータ３０１は、図３に示す記憶対象語ＭＩＤＩデータ３０５と記憶対象語用ドラムベースＷＡＶデータ３０６とに基づき、記憶対象語ＷＡＶパーツデータ書き出しプログラム３０４を用いて作成される。
【００５０】
記憶対象語音声ＭＩＤＩデータ３０５は、記憶対象語ＷＡＶパーツデータ３０１の原音声となる記憶対象語音声が記録されたＭＩＤＩフォーマットのデータである。すなわち、当該記憶対象語ＭＩＤＩデータ３０５は、上記記憶対象語音声データそのものである。
【００５１】
また、上記記憶対象語用ドラムベースＷＡＶデータ３０６は、ドラムやシンバル等によるリズム音等が記録されたＷＡＶデータであり、記憶対象語ＭＩＤＩデータ３０５の原音声をジョギング用にアレンジするために用いられるデータである。
【００５２】
記憶対象語ＷＡＶパーツデータ書き出しプログラム３０４においては、記憶対象語ＭＩＤＩデータ３０５を構成する記憶対象語音声全体に対して１４０ＢＰＭでテンポが調整される。このとき、調整前と調整後とでは、その記憶対象語音声の音程が変わらないように調整が行われる。そして、当該記憶対象語ＭＩＤＩデータ３０５のフォーマットがＷＡＶフォーマットに変換され、記憶対象語用ドラムベースＷＡＶデータ３０６と合成されて、ジョギング用のアレンジが施される。こうして作成された記憶対象語音声データが記憶対象語ＷＡＶパーツデータ３０１である。
【００５３】
なお、記憶対象語ＷＡＶパーツデータ書き出しプログラム３０４は、楽曲配信サーバ１にインストールされて、制御部１１により実行されるようにしても良いし、他の情報処理装置にインストールされて、当該装置上で実行されるようにしても良い。
【００５４】
ジョギングアレンジ曲間つなぎＷＡＶパーツデータ１０２は、ジョギング用の楽曲を構成する複数の楽曲本体の曲間、又は記憶対象語音声と楽曲本体との間に演奏される楽曲（以下、「曲間部」と称する）のＷＡＶデータ、最初の楽曲本体の前に演奏される前奏のＷＡＶデータ、及び、最後の楽曲本体の演奏又は記憶語音声の発声の後に演奏される後奏のＷＡＶデータの総称である。
【００５５】
ジョギングアレンジ音声ガイダンスＷＡＶパーツデータ１０３は、専門のアドバイザーによる運動指導やアドバイス等の音声が記録されたＷＡＶデータである。
【００５６】
ＤＪ音声ＷＡＶパーツデータ１０４は、曲間に流されるＤＪ（Disc Jockey）の音声が記録されたＷＡＶデータである。
【００５７】
なお、以下の説明においては、楽曲本体ＷＡＶパーツデータ１０１を、単に「楽曲本体データ」と称し、記憶対象語ＷＡＶパーツデータ３０１を、単に「記憶対象語データ」と称する。すなわち、記憶対象語データは、記憶対象語音声データ（＝記憶対象語ＭＩＤＩデータ３０５）と、記憶対象語用ドラムベースＷＡＶデータ３０６と、から構成される。更に、ジョギングアレンジ曲間つなぎＷＡＶパーツデータ１０２を、単に「曲間つなぎデータ」と称する。また、ジョギングアレンジ音声ガイダンスＷＡＶパーツデータ１０３及びＤＪ音声ＷＡＶパーツデータ１０４を、纏めて、単に「音声データ」と称する。
【００５８】
パーツＷＡＶデータデータベースプログラム２０１は、楽曲配信サーバ１の制御部１１がパーツＷＡＶデータデータベースを管理するためのプログラムであり、各パーツデータの登録要求に応じて、パーツデータを当該データベースに登録したり、サーバシステムプログラム２０２から要求されたパーツデータを当該データベースから取得して、サーバシステムプログラム２０２に渡すためのプログラムである。
【００５９】
サーバシステムプログラム２０２は、楽曲配信サーバ１の制御部１１が、パーツＷＡＶデータデータベースから取得されたパーツデータを用いて、ジョギング用楽曲データを作成するためのプログラムである。
【００６０】
ＷＥＢサイトプログラム２０３は、曲配信サーバ１の制御部１１が、作成されたジョギング用楽曲データを配信するＷＥＢサイトとして、ユーザＰＣ２からの要求に応じて、ＷＥＢページやジョギング用楽曲データ等を送信するためのプログラムである。
【００６１】
なお、パーツＷＡＶデータデータベースプログラム２０１、サーバシステムプログラム２０２、ＷＥＢサイトプログラム２０３等は、例えば、図示せぬネットワークを介して他のサーバ装置等から取得されるようにしても良いし、ＣＤ（Compact Disc）−ＲＯＭ等の記録媒体に記録されてドライブ装置等から読み込まれるようにしても良い。
【００６２】
次に、ジョギング用楽曲データ等の内容を説明する前に、このジョギング用楽曲データ等の仕様を決定付けるトレーニングコースを選択するためのメニューの構成について説明する。
【００６３】
このトレーニングコースの選択は、楽曲配信サーバ１からユーザＰＣ２に送信されたコース選択用ＷＥＢページに基づいて、ユーザがユーザＰＣ２を操作することにより行われる。
【００６４】
また、当該トレーニングコースの選択は、基本的には本実施形態に係る記憶対象語音声の再生内容とは無関係に、ユーザの運動能力やそれまでの経験に基づいて実行される。そして、記憶対象語の暗記（すなわち、記憶対象語音声の再生）は、その選ばれたトレーニングコースに相当するジョギング用楽曲データの再生中において、上記ランニングハイ状態となると予測される予め設定されたタイミング以降の期間において実行される。なお、記憶対象語音声の内容やその再生タイミングを含めたトレーニングコースを予め用意しておき、それをトレーニングコースの選択の一貫として選択可能に構成することもできる。
【００６５】
図４に示すように、トレーニングコースを選択するためのメニューの構成は、例えば、最上位の第１階層から最下位の第４階層までの階層構造をなしている。そして、各階層においては、ユーザの目標別等に応じたメニュー項目が定義されており、上位の階層では、大まかな目標に応じたメニュー項目が定義され、下位の階層になっていくに従って、具体的な目標に応じたメニュー項目が定義されている。
【００６６】
先ず、「コース選択」が選択されると、第１階層のメニュー項目として、例えば、「健康維持」、「ダイエット」、「マラソンレース出場」、「タイムアップ」等のユーザの目標に応じるコースメニューがユーザＰＣ２の画面に表示される。そして、例えば、「マラソンレース出場」が選択されると、第２階層のメニュー項目として、「ホノルルマラソン」、「東京マラソン」、「ハーフマラソン」、「１０Ｋｍマラソン」等のコースメニューがユーザＰＣ２の画面に表示される。
【００６７】
またここで、例えば、「ホノルルマラソン」が選択されると、第３階層のメニュー項目として、「タイムを狙う」、「完走する」等のコースメニューがユーザＰＣ２の画面に表示される。更に、例えば、「タイムを狙う」が選択されると、第４階層のメニュー項目として、「初心者」、「中級者」、「上級者」等のコースメニューがユーザＰＣ２の画面に表示される。
【００６８】
そして、第４階層のメニュー項目の中から一のメニュー項目が選択されると、これに一意に対応したトレーニングコースが、楽曲配信サーバ１の制御部１により決定される。例えば、「マラソンレース出場」〜「ホノルルマラソン」〜「タイムを狙う」〜「初心者」と選択されると、これに対して、「トレーニングコースＡ」が決定される。また、同様にして「中級者」が選択されると、「トレーニングコースＢ」が決定される。また、同様にして「上級者」が選択されると、「トレーニングコースＣ」が決定される。
【００６９】
楽曲配信サーバ１の記憶部１２には、上記メニュー構成を定義するメニューデータが記憶されている。また、記憶部１２には、最終的なトレーニングコース毎に、そのコース情報が記憶されている。このコース情報には、そのトレーニングコースの全ステップが定義されていると共に、ステップ毎にそのトレーニングの仕様が定義されている。具体的には、ステップ毎に、対応するトレーニング期間、運動時間の一例としてのジョギング時間（ユーザが走る時間）、ジョギング距離（ユーザが走る距離）、楽曲本体の曲数、初期テンポ（ジョギング用楽曲データの最初の曲のテンポ）、終了テンポ（ジョギング用楽曲データの最後の曲のテンポ）等が定義されている。ここで、ジョギング時間は、ジョギング用楽曲データの、後述するウォームアップ曲及びクールダウン曲の演奏時間を除いた演奏時間を示す時間となる。また、当該トレーニングの仕様自体は、あくまでトレーニングとしての仕様であり、当該仕様には本実施形態に係る記憶対象語音声の数等は含まれていない。
【００７０】
（２．２．１）ジョギング用楽曲データの詳細
次に、図５乃至図８を用いて、本実施形態に係るジョギング用楽曲データについて詳細に説明する。なお、以下の図５乃至図８を用いたジョギング用楽曲データの説明において、当該ジョギング用楽曲データには本実施形態に係る記憶対象語音声データは含まれていない。当該記憶対象語音声データは、以下の説明するジョギング用楽曲データにおける一の楽曲を記憶対象語群に相当する記憶対象語音声に置換したものとなるが、この置換の態様については、本実施形態に係るジョギング用楽曲データの内容を一通り説明した後、改めて図９を用いて説明する。
【００７１】
図５は、あるトレーニングコースの各ステップにおけるジョギング用楽曲データの仕様の一例を示しており、このトレーニングコースは、ステップ１から開始され、基本的には１ヶ月毎にステップが上昇していく。
【００７２】
ステップ１のトレーニング期間は１ヶ月目に設定されている。すなわち、ステップ１は、本トレーニングコースを開始してから１ヶ月経過するまでのジョギングを対象としている。そして、そのジョギング時間は３０分に設定され、ジョギング距離は約５Ｋｍに設定されている。また、初期テンポと最終テンポとは、何れも１６０ＢＰＭに設定されている。
【００７３】
これらの情報は、ステップ１では、ウォームアップ曲及びクールダウン曲を除いたジョギング用楽曲データの演奏時間が３０分であり、そのテンポは、１６０ＢＰＭで一定であることを示している。そして、このテンポに対応したペースでユーザが３０分間走ることにより、約５Ｋｍの距離を走ることが想定されている。
【００７４】
ここで、演奏される楽曲本体の曲数は８曲に設定されているが、これはあくまでも目安であって、選択された楽曲本体の演奏時間によって曲数は変化するものである。
【００７５】
また、図５において、ステップ１のメドレー楽曲内容、すなわち、演奏される楽曲本体の内容として「○○○メドレー」（「○○○」は、例えば、アルバムの名称やアーティストの名称等）が示され、他のステップにおいても示されているが、これは選択されたアルバムやアーティスト、或いはジャンル等を例示的に示したものであり、例えば、ステップ１に対して必ずしも「○○○メドレー」が選択されるわけではない。
【００７６】
次に、ステップ２のトレーニング期間は２ヶ月目に設定されている。すなわち、ステップ１は、本トレーニングコースを開始して１ヶ月が経過してから更に１ヶ月を経過するまでのジョギングを対象としている。そして、そのジョギング時間は３０分に設定され、ジョギング距離は約５．５Ｋｍに設定され、曲数は８曲に設定されている。また、初期テンポは、１６０ＢＰＭに設定され、最終テンポは、１６５ＢＰＭに設定されている。
【００７７】
これらの情報は、ステップ２では、ウォームアップ曲及びクールダウン曲を除いたジョギング用楽曲データの演奏時間が３０分であり、そのテンポは、１６０ＢＰＭから１６５ＢＰＭに徐々に上昇することを示している。そして、このテンポに対応したペースでユーザが３０分間走ることにより、約５．５Ｋｍの距離を走ることが想定されている。
【００７８】
ステップ２は、ジョギング距離についてはステップ１と同様であるが、テンポが上昇していくことによって、ステップ１よりも約０．５Ｋｍ長い距離をユーザが走ることが想定されている。
【００７９】
以下同様に、ステップ３のトレーニング期間は３ヶ月目に設定されており、ジョギング時間は４５分に設定され、ジョギング距離は約８Ｋｍに設定され、曲数は１２曲に設定されている。そして、初期テンポと最終テンポとは、何れも１６５ＢＰＭに設定されている。
【００８０】
また、ステップ４のトレーニング期間は４ヶ月目に設定されており、ジョギング時間は４５分に設定され、ジョギング距離は約８．５Ｋｍに設定され、曲数は１２曲に設定されている。そして、初期テンポは１６５ＢＰＭに設定され、最終テンポは１７０ＢＰＭに設定されている。
【００８１】
また、ステップ５のトレーニング期間は５ヶ月目に設定されており、ジョギング時間は６０分に設定され、ジョギング距離は約１１Ｋｍに設定され、曲数は１６曲に設定されている。そして、初期テンポと最終テンポとは、何れも１７０ＢＰＭに設定されている。
【００８２】
また、ステップ６のトレーニング期間は６ヶ月目に設定されており、ジョギング時間は６０分に設定され、ジョギング距離は約１２Ｋｍに設定され、曲数は１６曲に設定されている。そして、初期テンポは１７０ＢＰＭに設定され、最終テンポは１７５ＢＰＭに設定されている。
【００８３】
図６に示すように、各ステップにおけるジョギング用の楽曲は、楽曲本体と前奏、後奏、曲間部、ガイド音声、ＤＪ音声によって構成されるジョギング本編と、ジョギング本編の前に再生されるウォームアップ曲と、ジョギング本編の後に再生されるクールダウン曲と、により構成されている。
【００８４】
なお、図６中、（ａ）、（ｂ）、（ｃ）、（ｄ）、（ｅ）、（ｆ）は、図５において例示したステップ１、ステップ２、ステップ３、ステップ４、ステップ５、ステップ６に夫々対応している。
【００８５】
ウォームアップ曲は、ユーザがジョギングを開始する前に、その準備運動等のウォーミングアップを行う際に再生されることを想定した楽曲であり、例えば、テンポが徐々に上昇して、ユーザの気分を次第に盛り上げるような楽曲が選定される。
【００８６】
また、クールダウン曲は、ユーザがジョギングを終えた後に、心身を平静に戻すクーリングダウンを行う際に再生されることを想定した楽曲であり、例えば、テンポが徐々に下降して、次第落ち着いていくような雰囲気の楽曲が選定される。
【００８７】
ウォームアップ曲及びクールダウン曲の楽曲データは、ＭＰ３フォーマットで記憶部１２に記憶されている。
【００８８】
このウォームアップ曲及びクールダウン曲としては、全ステップを通じで同一の楽曲を用いることが可能であり、例えば、ユーザＰＣ２が楽曲配信サーバ１から最初にジョギング用楽曲データをダウンロードするときには、ジョギング本編とウォームアップ曲及びクールダウン曲の全ての楽曲データを含むジョギング用楽曲データがダウンロードされるが、２度目以降のダウンロードの際には、ジョギング本編の楽曲データのみのジョギング用楽曲データがダウンロードされる。
【００８９】
なお、２度目以降のダウンロードの際においても、ユーザの選択により、最初にダウンロードされたウォームアップ曲及びクールダウン曲とは異なるウォームアップ曲及びクールダウン曲がダウンロードされようにしても良い。
【００９０】
また、図６に示すように、ジョギング距離、すなわち、ジョギング本編の演奏時間は、２ステップ毎に上昇する。その一方で、ジョギング本編のテンポは、奇数ステップにおいては演奏開始から終了まで一定であり、偶数ステップにおいては、徐々に上昇する。また、各ステップにおける最終テンポと、その次のステップにおけるテンポとは一致している。
【００９１】
ステップが上がっていくに従って（トレーニング期間が時間的に未来にあるほど）、ユーザのジョギング能力は向上していくものと考えられることから、それに合わせて、ジョギング時間及びテンポが上昇していく。また、目安ではあるが、ステップが上がっていくに従って曲数も増えていく。そして、このジョギング時間及びテンポは、トレーニングコース毎に決定され、更には、トレーニングコース内のステップ毎に決定されるようになっており、具体的には、例えば、マラソン等の専門家により策定された運動理論や方針等に基づいて、予めトレーニングコース毎に設定されている。
【００９２】
図７は、各ジョギング時間におけるジョギング用楽曲データの概要構成の一例を示す図である。
【００９３】
本実施形態においては、ジョギング時間に応じて、ジョギング用楽曲データのジョギング本編部分が、１又は複数作成される。これは、次に述べる理由による。
【００９４】
すなわち、ジョギング時間が長いほど一般にジョギング本編部分のデータサイズも大きくなり、また、そのデータのダウンロードに要する時間も長くなる。そして、ダウンロード時間が長いほど、何らかの理由（例えば、コネクションの切断等）でダウンロードが途中で失敗する可能性が高くなる。ダウンロードが失敗してしまったら、また最初からダウンロードを行わなければならず、ダウンロード時間が更に長くなってしまう。そこで、ジョギング時間が長い場合には、ジョギング本編部分のデータを複数に分けて作成することで、ダウンロードも複数回に分けて行われることとなる。よって、ダウンロードが途中で失敗しても、既にダウンロードした部分については再度ダウンロードする必要がなくなる。
【００９５】
具体的には、図７に示すように、ジョギング時間が１５分である場合には、１５分のファイル１個でジョギング本編部分が構成される（図７（ａ））。また、ジョギング時間が３０分である場合には、３０分のファイル１個でジョギング本編部分が構成される（図７（ｂ））。また、ジョギング時間が４５分である場合には、３０分のファイル１個と１５分のファイル１個の合計２個のファイルでジョギング本編部分が構成される（図７（ｃ））。
【００９６】
また、ジョギング時間が６０分である場合には、３０分のファイル２個でジョギング本編部分が構成される（図７（ｄ））。また、ジョギング時間が９０分である場合には、３０分のファイル３個でジョギング本編部分が構成される（図７（ｅ））。また、ジョギング時間が１２０分である場合には、３０分のファイル４個でジョギング本編部分が構成される（図７（ｆ））。
【００９７】
ここで、ジョギング本編部分が複数のファイルで構成される場合であって、初期テンポと最終テンポとが異なるときには、再生順において最初のファイルの最初の曲が初期テンポで再生され、複数のファイルにまたがって徐々にテンポが上昇し、最後のファイルの最後の曲が最終テンポで再生されるように、各ファイルが構成される。
【００９８】
図８は、ジョギング用楽曲データのジョギング本編部分の１ファイルの概要構成を示す図である。
【００９９】
図８に示すように、ジョギング用楽曲データのジョギング本編は、最初に前奏が再生された後、１曲目の楽曲本体が再生される。そして、曲間部が再生された後、２曲目の楽曲本体が再生される。以下同様にして、全ての楽曲本体が再生された後、後奏が再生される。つまり、ジョギング本編は、前奏の曲間つなぎデータ、１曲目の楽曲本体データ、曲間部の曲間つなぎデータ、２曲目の楽曲本体データ、曲間部の曲間つなぎデータ…Ｎ曲目の曲本体データ、後奏の曲間つなぎデータの順に再生されるように、楽曲配信サーバ１の制御部１１により構成される。
【０１００】
このとき、ジョギング本編は、例えば、図５に示すトレーニングコースのステップ１の場合には、１６０ＢＰＭ一定のテンポで各楽曲データが再生されるように構成され、例えば、ステップ２の場合には、１６０ＢＰＭから１６５ＢＰＭまでテンポが徐々に上昇するように楽曲データが再生されるように構成される。
【０１０１】
そして、ガイダンス音声の音声データが、楽曲数等に応じて予め定められた順番の曲間部の曲間つなぎデータが再生されている間に再生されるようにジョギング本編は構成される。また、ジョギング本編の演奏が開始されてから、規定の時間が経過する都度（例えば、５分、１０分、２０分、…）、その時点での経過時間とこれまでの消費カロリーをユーザに対して告知する音声データが再生されるようにジョギング本編は構成される。
【０１０２】
なお、第３階層のメニュー項目が選択された時点で最終的なトレーニングコースを決定し、第４階層のメニュー項目が選択された時点でトレーニングを開始させるステップを決定しても良い。例えば、「初心者」が選択された場合には、トレーニングコースＡのステップ１が開始ステップとして決定され、「中級者」が選択された場合には、トレーニングコースＡのステップ３が開始ステップとして決定され、「上級者」が選択された場合には、トレーニングコースＡのステップ５が開始ステップとして決定されるようにしても良い。
【０１０３】
（２．２．２）記憶対象語音声データの詳細
次に、本実施形態に係る記憶対象語音声データたる記憶対象語ＭＩＤＩデータ３０５について、図９を用いて詳細に説明する。なお図９においては、記憶対象語音声そのものをカタカナで記載している。
【０１０４】
図９に例示するように、本実施形態に係る記憶対象語ＭＩＤＩデータ３０５は、一小節を構成する四つの４分音符（すなわち、一小節中の強拍）に対して、記憶対象語音声おけるアクセントの部分が割り当てられて構成されている音声データである。
【０１０５】
例えば、英単語「book」とその和訳語である「本」との組み合わせを記憶対象語とする場合、一小節中の第一４分音符に「book」の発音である「ブック」に相当する記憶対象語音声データが割り当てられ、同じ小節内の第三４分音符に「本」の発音である「ホン」に相当する記憶対象語音声データが割り当てられている。このとき、当該小節内の第二４分音符と第四４分音符とには、何ら記憶対象語音声データが割り当てられていない。また、長い英単語とその和訳語との組み合わせを記憶対象語とする場合、例えば図９に例示する「difficult」と「難しい」のように、一小節内の全ての４分音符に記憶対象語音声データが割り当てられる。
【０１０６】
また同様に、年号とその年に起きた事象との組み合わせが記憶対象語である場合、例えば一小節中の第一４分音符と第二４分音符に「６４５（年）」の発音である「ロクヨン」と「ゴ」に相当する記憶対象語音声データが割り当てられ、同じ小節内の第三４分音符と第四４分音符に「大化の改新」の発音である「タイカノ」と「カイシン」に相当する記憶対象語音声データが割り当てられる。ここで、当該年号を記憶対象語とする場合、例えば上記「６４５」は、「ロッピャクヨンジュウ」と「ゴ」ではなく、上記したように「ロクヨン」と「ゴ」に相当する記憶対象語音声データが割り当てられる。これは、ジョギング中のランニングハイ状態を利用して記憶の確実性を高める本実施形態では、記憶中もそのままジョギングを継続する必要があるため、ジョギング中でも聴取し易いように数字の読み方を通常（上記の例では「ロッピャクヨンジュウゴ」）とは異なった聴取しやすい読み方に変えたものである。
【０１０７】
以下同様にして、一小節を構成する各４分音符のタイミングのいずれかに（但し、第一４分音符のタイミング及び第三４分音符のタイミングには常に）その記憶対象語のアクセントの部分が対応するように、記憶対象語としてのカテゴリ（図９に例示する場合は、「英単語」、「年号」、「九九」、「県庁所在地」、「国名と首都」）毎に、予め記憶対象語が割り当てられている。そして、このカテゴリ毎及び小節毎に識別可能に構成された上で、例えば各カテゴリ毎に百小節分の記憶対象語ＭＩＤＩデータ３０５が、記憶部１２内に予め記憶されている。なお、図９に例示する場合において、「×」と記載されている４分音符のタイミングには記憶対象語音声データが何ら割り当てられておらず、いわゆる４分休符に相当するタイミングとなる。
【０１０８】
このように、一小節を構成する一小節を構成する各４分音符のタイミングと記憶対象語のアクセントの部分とが対応するように記憶対象語ＭＩＤＩデータ３０５が構成されているため、制御部１１により、記憶対象語音声を楽曲と同様に扱って、以下に説明する如くジョギング用楽曲データ等のジョギング本編部分として構成することができるようになるのである。
【０１０９】
（２．３）ジョギング用楽曲データ等のジョギング本編部分の作成方法
次に、楽曲配信サーバ１の制御部１１によるジョギング用楽曲データ等のジョギング本編部分の作成方法について、図１０及び図１１を用いて説明する。
【０１１０】
図１０は、本実施形態に係る各種設定値等を示す図である。また、図１１は、ジョギング用楽曲データのジョギング本編部分の作成方法の一例を示す図である。更に、以下の図１０乃至図１７を用いた本実施形態の説明において、「小節」と言った場合には、後述する曲間つなぎデータの場合を除き、ジョギング用楽曲データとしての（楽曲の）小節と、記憶対象語音声データとしての小節（図９参照）と、の双方を指すものとする。
【０１１１】
先ず、ジョギング本編部分を作成するための各種設定値等について説明する。
【０１１２】
図１０（ａ）は、ジョギング本編部分の１ファイル中に含めることができる楽曲本体の曲数の最小値と最大値とを示す表である。図１０（ａ）に示すように、１ファイル中には、３曲以上１０曲以下の楽曲本体が含まれる。この最小値と最大値とは、例えば、ジョギング本編部分の長さの調整のし易さや著作権料等に応じて決定される。そしてこの楽曲本体の何れか一つ以上が、本実施形態に係る記憶対象語を複数（例えば百語）含む上記記憶対象語群に相当する。具体的には、例えば一の当該記憶対象語群を、一の上記カテゴリ（図９参照）に相当させるのが好適である。
【０１１３】
図１０（ｂ）は、各走行テンポにおけるジョギング本編部分の１ファイルに含まれる小節数を示す表である。
【０１１４】
走行テンポとは、ジョギング本編部分の１ファイルに含まれる小節数を算出するための基準となるテンポである。具体的に、初期テンポと最終テンポとが同値である場合には、
走行テンポ＝初期テンポ＝最終テンポ
であり、初期テンポと最終テンポとが異なる値である場合には、
走行テンポ＝（初期テンポ＋最終テンポ）／２
である。本実施形態においては、走行テンポの最小値を１００ＢＰＭとし、最大値を２２０ＢＰＭとした。
【０１１５】
また、図１０（ｂ）中、ファイル時間とは、ジョギング本編部分の１ファイルの再生時間であり、各テンポ共に、１５分及び３０分のファイル時間がある。
【０１１６】
また、ファイル総小節数とは、ジョギング本編部分の１ファイルに含まれる小節数である。この小節数は、１小節を４ＢＰＭとして算出されている。従って、
ファイル総小節数＝走行テンポ×ファイル時間／４
である。また、ジョギング本編が複数のファイルで構成される場合には、
各ファイルのファイル総小節数の合計＝ジョギング本編の全小節数
である。
【０１１７】
本実施形態においては、ジョギング本編部分の１ファイルに含まれる楽曲本体（又は記憶対象語群）、前奏、後奏及び曲間部の再生時間の合計をファイル時間に合わせるために、ジョギング本編部分の長さを小節単位で調整する。これは、走行テンポがどのように変化しても、夫々の曲（又は記憶対象語群）の小節数は変化しないからで、これによって、ジョギング本編の長さをジョギング時間に合わせることが容易となる。
【０１１８】
図１０（ｃ）は、前奏、曲間部及び後奏に用いられる曲間つなぎデータの小節数を示す表である。
【０１１９】
本実施形態においては、曲間部の曲間つなぎデータとして、小節数が互いに異なる複数の曲間つなぎデータを用意する。曲間に適切な小節数の曲間部が挿入されることで、ジョギング本編部分の１ファイルの再生時間をファイル時間に合わせ易くする。具体的には、図１０（ｃ）に示すように、最少が１２小節であり、最大が１４４小節である。そして、１２小節から１４４小節まで１２小節間隔で１２種類の長さの異なる曲間つなぎデータを用意する。なお、曲間の１２小節は、走行テンポが最大の２２０ＢＰＭであってもガイダンス音声が時間的に曲間に収まる小節数である。また、本実施形態では、上述したように曲間つなぎデータとして記憶対象語音声データが用いられることはない。
【０１２０】
更に、本実施形態においては、前奏及び後奏の曲間つなぎデータとして、小節数が互いに異なる複数の曲間つなぎデータを用意する。これは、ジョギング本編部分を構成するファイルの個数、及び、ジョギング本編部分を複数のファイルで構成する場合におけるファイルの再生順に応じて、予め定められた長さの前奏及び後奏を夫々のファイルに入れるためである。
【０１２１】
図１０（ｄ）は、ファイル時間が１５分の場合における各テンポの許容最長楽曲小節数を示す表である。
【０１２２】
許容最長楽曲小節数とは、ジョギング本編部分に含めることができる楽曲本体１曲又は記憶対象語群（カテゴリ）一つ分の最長の小節数である。本実施形態においては、１曲の小節数に上限を設けている。このようにすることの一つの理由は、作成されるジョギング本編部分の長さをファイル時間に合わせることを容易にするためである。
【０１２３】
具体的に、ファイル時間を最短の１５分として、楽曲本体又は記憶対象語群が長いために１ファイルに３曲の楽曲本体しか入らなかった場合でも、曲間に曲間部を挿入することができるようにしなければならない。従って、
許容最長楽曲小節数≦（ファイル総小節数−前奏と後奏の小節数の合計の最大値−曲間部の小節数の最小値×２）／３＋１
を満たす必要がある。ここで、前奏と後奏の小節数の合計が最大値となる組み合わせは、前奏が８、後奏が２０である。また、曲間部の小節数の最小値は１２である。また、最後の「＋１」は、楽曲本体の最初の１小節と、その楽曲本体の前に再生される曲間部又は前奏の最後の１小節を重ねて再生させるために、その１小節分を許容最長楽曲小節数に加算している。
【０１２４】
このように、許容最長楽曲小節数を設定することにより、ジョギング本編部分を構成する楽曲の曲数又は記憶対象語群の群数が下限（３曲又は３群）を下回らないようにしている。これは、ユーザの立場から曲数は少なくない方が良いからである。
【０１２５】
例えば、走行テンポが１００ＢＰＭの場合における許容最長楽曲小節数は１０８である（３．０９分）。同様に、１１０ＢＰＭの場合は１２１小節（３．４６分）、１２０ＢＰＭの場合は１３３小節（３．８０分）、１３０ＢＰＭの場合は１４６小節（４．１７分）、１５５ＢＰＭの場合は１７７小節（５．０６分）、１７０ＢＰＭの場合は１９６小節（５．６０分）、１９０ＢＰＭ及び２２０ＢＰＭの場合は２１０小節である（６．００分）。なお、図１０（ｃ）中の再生時間は１４０ＢＰＭにおける再生時間である。ここで、１４０ＢＰＭにおける１曲の再生時間の許容最大値を６分としたため、許容最長楽曲小節数は、最大でも２１０小節である。
【０１２６】
また、ファイル時間が３０分である場合の許容最長楽曲小節数は、どのテンポであっても２１０小節である。
【０１２７】
以下においては、ジョギング本編部分（本実施形態に係る記憶対象語群を含む）の具体的な作成方法を、テンポが一定の場合とテンポが上昇する場合とで分節して説明する。なお、本実施形態においては、いずれのテンポ又はトレーニングコースの場合でも、経験的にジョギング開始後約１５分経過後から徐々にランニングハイ状態が始まることを前提としており、当該ランニングハイ状態が始まった以降はジョギング本編部分の最後まで記憶対象語音声データの再生を行うものとしている。
【０１２８】
（２．３．１）テンポが一定の場合
図１１に示す例では、テンポ１４０ＢＰＭの楽曲データ又は記憶対象語音声データを全て１６０ＢＰＭの楽曲データに変換して、ファイル時間３２分６秒（ファイル総小節数１２８４）のジョギング本編を作成する場合の例であり、楽曲本体データとしては、曲Ａ〜曲Ｅの５個の楽曲本体データが、この選曲順で選択されたものとする。また、記憶対象語音声データとしては、１００小節分の当該記憶対象語音声データが選択されたものとする。更に、曲間つなぎデータとしては、前奏及び後奏の曲間つなぎデータの他に、１２小節の曲間部ａから１４４小節の曲間部ｌまでの１２個の曲間つなぎデータが用意されている。
【０１２９】
制御部１１は、楽曲本体データ、記憶対象語音声データ及び曲間つなぎデータを、夫々テンポ１６０ＢＰＭの楽曲本体データ、記憶対象語音声データ及び曲間つなぎーデータに変換する。ここで、各楽曲の演奏時間及び記憶対象語群の再生時間は、元の７／８（１４０ＢＰＭ／１６０ＢＰＭ）となる。
【０１３０】
そして、制御部１１は、前奏の曲間つなぎデータをジョギング本編の先頭に挿入し、後奏の曲間つなぎデータをジョギング本編の最後に挿入する。また、制御部１１は、曲Ａ〜曲Ｅの楽曲本体データ及び五つ（夫々は同一内容）の記憶対象語音声データを、この曲順で、前奏の曲間つなぎデータと後奏の曲間つなぎデータとの間に挿入する。
【０１３１】
この時点におけるジョギング本編の小節数、すなわち、前奏と曲Ａ〜曲Ｅと五つの記憶対象語群と後奏との小節数の合計は、１６０ＢＰＭにおけるファイル時間３２分６秒に対応する小節数である１２８４小節未満となる。そして、制御部１１が、各楽曲本体データ及び各記憶対象語音声データの間に、曲間部ａ〜曲間部ｌのうち適切な長さの曲間つなぎデータを夫々挿入することにより、ジョギング本編の最終的な小節数が、ファイル総小節数である１２８４小節となるように調整する。曲間部の曲間つなぎデータは１２小節間隔で用意されているので、ファイル時間に相応する小節数と実際に作成されるジョギング本編部分の小節数の差は最大でも±６小節分で済ませることができる。このように、必ずしも丁度１２８４小節になるようにジョギング本編を作成する必要はなく、多少のズレがあっても良い。
【０１３２】
また、制御部１１は、およそ中心に位置する曲間部の小節数が可能な限り多くなるよう、各曲間部の小節数を調整する。これは、長い曲間を１箇所に集中させることで他の曲間を短くし、曲間が間延びした印象をユーザに与えないためである。また、中心に位置する曲間に長い曲間部を挿入することで、メリハリが生まれる。その他の位置には、極力小節数の少なく且つ長さが均等になるような曲間部が挿入される。図１１に示す例では、全部で５曲の楽曲と同一内容で五つ分の記憶対象語群が選択されているので、５曲目である曲Ｅと最初の記憶対象語群との曲間に１４４小節の曲間部が挿入され、その他の曲間には１２小節又は２４小節の曲間部が挿入されている。
【０１３３】
なお、小節数が多い曲間部を必ずしも中心に位置する曲間に挿入する必要はなく、また、１箇所のみに挿入する必要もない。例えば、全体の３分の１の楽曲が終わった後に小節数が多い曲間部を挿入し、更に３分の１の楽曲が終わった後に小節数が多い曲間部を挿入しても良い。ただし、間延びした印象を与えないためにも、小節数が多い曲間部を挿入する箇所を、極力少なめ（例えば、多くても全曲間の半分以下）にすることが望ましい。
【０１３４】
曲間部の曲間つなぎデータは、各楽曲本体の曲間を曲間部でつなぐことにより、音楽的（聴覚的）に自然な形で各楽曲本体を接続して演奏するために用いられる楽曲データである。
【０１３５】
ここで、楽曲本体データは、図３において説明したように、楽曲本体ＭＩＤＩデータ１０５から変換された楽曲本体のＷＡＶデータにジョギングアレンジドラムベースＷＡＶデータ１０６が合成されて作成される。このとき、楽曲本体の曲調に合ったリズムパターンのジョギングアレンジドラムベースＷＡＶデータ１０６が選択される。
【０１３６】
また、記憶対象語音声データは、これも図３において説明したように、記憶対象語ＭＩＤＩデータ３０５から変換された記憶対象語群のＷＡＶデータに記憶対象語用ドラムベースＷＡＶデータ３０６が合成されて作成される。
【０１３７】
ジョギング用楽曲データ等を構成する複数の楽曲本体又は記憶対象語群夫々のリズムパターンが全て同一であれば、曲間部の曲間つなぎデータとしては、これと同一のリズムパターンのデータのみを用意すれば、各楽曲又は各記憶対象語群の接続前後でリズムパターンが変化しないため、自然な形で演奏及び再生を継続することができる。しかしながら、楽曲本体又は記憶対象語群のリズムパターンが曲毎又は記憶対象語群毎に異なるような場合においては、一つのパターンでは、各楽曲又は各記憶対象語群の接続前後でリズムパターンが急激に変化し、音楽的に不自然となる。
【０１３８】
そこで、本実施形態においては、ジョギング用楽曲データ等を構成する複数の楽曲本体又は記憶対象語群のリズムパターンが２パターン以上存在する場合には、これに応じて、複数のリズムパターンの曲間部の曲間つなぎデータを用意する。
【０１３９】
例えば、ある楽曲本体又は記憶対象語群とその次の楽曲本体又は記憶対象語群のリズムパターンとが異なる場合には、前の楽曲本体又は記憶対象語群に接続する部分においては、その楽曲本体又は記憶対象語群のリズムパターンと同じ（又は近い）リズムパターンで演奏が開始され、次の楽曲本体又は記憶対象語群に接続する部分においては、その楽曲本体又は記憶対象語群のリズムパターンと同じ（又は近い）リズムパターンで演奏が終了し、演奏が進行するに従ってリズムパターンが次第に変化していくような曲間部を用意する。
【０１４０】
そして、例えば、ジョギング用楽曲データ等を構成する複数の楽曲本体又は記憶対象語群のリズムパターンとして、ＸとＹとの２つのパターンが混在している場合には、リズムパターンがＸ一定の曲間部、Ｙ一定の曲間部、ＸからＹに変化する曲間部、ＹからＸに変化する曲間部の４つを、曲間部ａ〜曲間部ｆの夫々について用意する（例えば、曲間部ａの場合には、リズムパターンがＸ一定の曲間部ａ１、Ｙ一定の曲間部ａ２、ＸからＹに変化する曲間部ａ３、ＹからＸに変化する曲間部ａ４）。
【０１４１】
制御部１１は、曲間部を挿入する曲間前後の楽曲本体データの楽曲情報又は記憶対象語音声データの内容情報等を参照して、楽曲本体又は記憶対象語群のリズムパターンを認識し、これに対応したリズムパターンとなる曲間部の曲間つなぎデータを挿入する。
【０１４２】
ここで、制御部１１は、楽曲本体データ又は記憶対象語音声データと曲間部の曲間つなぎデータとを接続する場合に、楽曲本体又は記憶対象語群の最初の１小節と曲間部（楽曲本体がそのファイルの１曲目である場合には前奏）の最後の１小節とを重複させて接続する。これは、シンコペーションで始まる楽曲の本体開始部分と曲間部の終了部分とを自然に繋げるためである。
【０１４３】
つまり、小節を跨いだシンコペーションでは、１小節目の最後で実際の演奏が開始される場合がある。例えば、１小節目の４拍子目で演奏が開始されるとする。そうすると、１小節目の最初の３拍子分は何のメロディーも演奏されないこととなるので、曲間部の最後の部分と楽曲本体との最初の部分との接続部分で、音楽的に不自然な部分ができてしまう。そこで、楽曲本体の最初の１小節と曲間部の最後の１小節とを重複させるのである。なお、シンコペーションで始まらない楽曲本体では、最初の１小節は無音で作成されている。そして、制御部１１は、楽曲本体と曲間部とを一律に１小節分重複させる。
【０１４４】
こうしたことから、小節数を計算する場合においては、各楽曲本体又は各記憶対象語群の小節数から夫々１小節減算する必要がある。
【０１４５】
なお、ジョギング本編の最初の楽曲本体の前に挿入される前奏の曲間つなぎデータは、その楽曲本体のリズムパターンと同じ（又は近い）リズムパターンのデータを用い、ジョギング本編の最後の記憶対象語群の後に挿入される後奏の曲間つなぎデータは、その記憶対象語群のリズムパターンと同じ（又は近い）リズムパターンのデータを用いることが望ましい。
【０１４６】
（２．３．２）テンポが上昇する場合
テンポが上昇する場合、つまり、
初期テンポ＜最終テンポ
である場合も、テンポの調整以外は、テンポが一定の場合と基本的に同様である。つまり、再生途中でテンポが変わろうと変わるまいと、各曲又は各記憶対象語群の小節数は変わらないから、ファイル総小節数さえ確定していれば、実際に作成するジョギング本編部分の小節数の調整は容易に行うことができる。
【０１４７】
これを、例えば、小節数ではなく演奏時間又は記憶対象語群の再生時間で調整しようとすると、途端に複雑となる。なぜなら、各曲の演奏時間等を求めるためには、先ず、夫々のテンポを求めなければならない。しかし、各曲又は各記憶対象語群の再生位置（ジョギング本編先頭の再生が開始されてからの経過時間）が判らなければ、各曲又は各記憶対象語群に対して適切なテンポを求めることもできない。そこで、演奏時間又は再生時間やテンポを仮に設定等した上で、全体の演奏時間を調整することとなるが、小節数で調整する場合と比較して、明らかに処理が複雑になる。また、テンポが一定の場合とテンポが上昇する場合とで処理を変えなければならない。更には、仮に設定したテンポと実際のテンポとがずれることがあるため、このことに起因して、計算した全体の演奏時間とファイル時間との誤差が大きくなる場合がある。小節数で調整するようにすれば、こうした不都合は生じない。
【０１４８】
次に、テンポについても、小節単位で調整を行う。具体的に、ジョギング本編の最初の小節のテンポを初期テンポとし、最後の小節のテンポを最終テンポとして、その間の小節については、初期テンポから最終テンポまでなだらかにテンポが変化するように調整する。例えば、初期テンポが１６０ＢＰＭ、最終テンポが１７０ＢＰＭ、ファイル総小節数が１２００小節である場合は、最初の小節を１６０ＢＰＭとし、１小節経過する毎に１／１２０ＢＰＭずつテンポが上昇するように各小節のテンポを調整する。
【０１４９】
（３）楽曲配信サーバの動作
（３．１）メイン処理
次に、楽曲配信サーバ１の動作について説明するが、始めに、メイン処理について、図１２を用いて説明する。
【０１５０】
図１２は、本実施形態に係る楽曲配信サーバ１の制御部１１のメイン処理における処理例を示すフローチャートである。
【０１５１】
先ず、ユーザ操作により、ユーザＰＣ２が楽曲配信サーバ１にアクセスすると、図１２に示すように、楽曲配信サーバ１の制御部１１は、ログイン処理を実行する（ステップＳ１）。具体的に、制御部１１は、ユーザＰＣ２からユーザＩＤ、パスワード等を受信し、認証処理を行って、ユーザを特定する。
【０１５２】
次いで、制御部１１は、コース選択処理を実行する（ステップＳ２）。具体的に、制御部１１は、所定のコース選択用ＷＥＢページをユーザＰＣ２に送信して、図４において説明したように、ユーザにトレーニングコースを選択させ、選択されたトレーニングコースの情報をユーザＰＣ２から受信する。
【０１５３】
次いで、制御部１１は、所定のＷＥＢページをユーザＰＣ２に送信して、ユーザに自分の体重及び性別並びに所望する記憶対象語群名を入力させ、これらの情報をユーザＰＣ２から受信する（ステップＳ３）。このユーザの体重は、ジョギング中におけるユーザのカロリー消費の計算に用いられ、性別は、最終的なトレーニングコースの決定に用いられる。性別によって運動能力に差があるため、同じトレーニングコースでも性別によってその内容（具体的には、ジョギング時間及びテンポ）を若干変えるのである。また、入力された記憶対象語群名を示すデータは、上述してきたように各楽曲に続けてランニングハイ状態に移行したタイミング以降に再生する記憶対象語群の設定に用いられる。
【０１５４】
次いで、制御部１１は、ユーザＰＣ２から受信されたトレーニングコースの情報と性別の情報とに基づいて、最終的なトレーニングコースを決定する（ステップＳ４）。
【０１５５】
なお、ステップＳ２において、特定されたユーザが前回までに選択したトレーニングコースを変更しない場合には、ステップＳ３の処理を省略し、ユーザのトレーニング情報から、トレーニングコースの情報を取得しても良い。
【０１５６】
次いで、制御部１１は、ステップを決定する（ステップＳ５）。具体的に、制御部１１は、先ず、システム側で推奨するステップを提示するＷＥＢページをユーザＰＣ２に送信する。例えば、今回新たなトレーニングコースが選択された場合には、ステップ１が推奨され、前回までのトレーニングコースが変更されない場合には、現在のステップ、当該トレーニングコースのジョギング用楽曲データ等を最初にダウンロードした日からの経過日数等に応じて相応しいステップが推奨される。ここで、ユーザＰＣ２を操作することによって、提示されたステップをユーザが承諾した場合には、その旨のリクエストがユーザＰＣ２から楽曲配信サーバ１に送信される一方、ユーザがステップを変更する場合には、その旨のリクエストがユーザＰＣ２から楽曲配信サーバ１に送信される。そして、制御部１１は、このリクエストに基づいて、ステップを決定する。
【０１５７】
次いで、制御部１１は、決定されたトレーニングコース及びステップに対応するジョギング時間（記憶対象語音声データの再生時間を含む）、初期テンポ及び終了テンポを、コース情報から取得し、ＲＡＭ上の所定領域に設定する（ステップＳ６）。
【０１５８】
次いで、制御部１１は、ジョギング時間に基づいて、図７で説明したように、ファイル時間ＦＴ（１）〜ＦＴ（Ｎ）を設定する。例えば、制御部１１は、ジョギング時間が１５分である場合には、Ｎ＝１、ＦＴ（１）＝１５を設定し、ジョギング時間が４５分である場合には、Ｎ＝２、ＦＴ（１）＝３０、ＦＴ（２）＝１５を設定する。
【０１５９】
次いで、制御部１１は、ウォーミングアップ曲のファイル名を設定する（ステップＳ８）。具体的に、制御部１１は、コース番号及び今日の日付を含むと共に、通し番号として「１」を含むファイル名を設定する（例えば、「００１−２００８０７０１−１．ＭＰ３」等。ここで、「００１」はコース番号、「２００８０７０１」は日付、「１」は通し番号である）。
【０１６０】
後述するが、制御部１１は、上記の命名規則で、ジョギング本編とクールダウン曲についても通し番号を増加させながらファイル名を設定する。これは、携帯音楽プレーヤ３でジョギング用楽曲データ等を再生する際に、規定された順番（ウォーミングアップ曲、ジョギング本編の１番目のファイル、ジョギング本編の２番目のファイル…クールダウン曲）でファイルを再生させるためである。ＭＰ３フォーマットのデータでは、ＩＤタグを設定することができるが、このＩＤタグにはトラック番号も含めることができる。携帯音楽プレーヤ３がＩＤタグを参照してファイルの再生順を決定するのであれば問題はないが、ＩＤタグに対応していない機種も存在する。このような機種では、ファイル名の順（例えば、ＡＳＣＩＩ（American Standard Code for Information Interchange）コード（文字コードの一例）で昇順となるように）で再生を行うものが多い。そこで、制御部１１は、上述したようにファイル名を設定する。
【０１６１】
次いで、制御部１１は、ファイル番号ｉに１を設定する（ステップＳ９）。
【０１６２】
次いで、制御部１１は、後述する使用楽曲決定処理を実行することにより、ｉ番目のジョギング本編１ファイルに相当するジョギング用楽曲データ等の作成に用いられる楽曲データ、記憶対象語音声データ、曲間つなぎデータと、その演奏（再生）順序を決定する（ステップＳ１０）。
【０１６３】
次いで、制御部１１は、ジョギング用楽曲データ等作成処理を実行することにより、ｉ番目のジョギング本編１ファイルに相当するジョギング用楽曲データ等を作成する（ステップＳ１１）。
【０１６４】
次いで、制御部１１は、ファイル番号ｉに１を加算して（ステップＳ１２）、ファイル番号ｉがファイル数Ｎより大きいか否かを判定する（ステップＳ１３）。このとき、制御部１１は、ファイル番号ｉがファイル数Ｎよりも大きくない場合には（ステップＳ１３：ＮＯ）、ステップＳ１０に移行する。
【０１６５】
一方、制御部１１は、ファイル番号ｉがファイル数Ｎより大きい場合には（ステップＳ１３：ＹＥＳ）、クールダウン曲のファイル名を設定する（ステップＳ１４）。具体的に、制御部１１は、コース番号及び今日の日付を含むと共に、通し番号としてＮ＋１を含むファイル名を設定する。
【０１６６】
次いで、制御部１１は、作成したジョギング用楽曲データ等をユーザＰＣ２に送信する（ステップＳ１５）。具体的に、制御部１１は、ウォーミングアップ曲のファイル、ジョギング本編（一又は複数の記憶対象語群を含む）のファイル及びクールダウン曲のファイル夫々へのリンクを含むダウンロード用のＷＥＢページをユーザＰＣ２に送信して、ダウンロードするファイルをユーザに選択させる。そして、制御部１１は、ユーザに選択されたリンクに設定されているＵＲＬ（Uniform Resource Locator）の情報をＰＣ２から受信して、このＵＲＬに対応するファイルをユーザＰＣ２に送信する。
【０１６７】
そして、制御部１１は、ユーザが必要なだけのファイルの送信を行うと、メイン処理を終了させる。
【０１６８】
（３．２）使用楽曲決定処理
次に、使用楽曲決定処理について、図１３乃至図１７を用いて説明する。
【０１６９】
図１３乃至図１７は、本実施形態に係る楽曲配信サーバ１の制御部１１の使用楽曲決定処理における処理例を示すフローチャートである。また、以下の図１３乃至図１７を用いた楽曲決定処理の説明において、演奏リストとしての演奏時間が１５分となった以降における「小節」には、曲間つなぎデータの場合を除き、ジョギング用楽曲データとしての（楽曲の）小節と、記憶対象語音声データとしての小節（図９参照）と、の双方を指すものとする。
【０１７０】
使用楽曲決定処理が開始されると、図１３に示すように、制御部１１は、演奏リストを初期化する（ステップＳ１０１）。
【０１７１】
次いで、制御部１１は、続くステップＳ１０２〜Ｓ１０５において、走行テンポＴＭＰの設定を行う。
【０１７２】
具体的に先ず、制御部１１は、初期テンポと終了テンポとが一致するか否かを判定する（ステップＳ１０２）。このとき、制御部１１は、初期テンポと終了テンポとが一致する場合には（ステップＳ１０２：ＹＥＳ）、走行テンポＴＭＰに初期テンポを設定して（ステップＳ１０３）、ステップＳ１０６に移行する。
【０１７３】
一方、制御部１１は、初期テンポと終了テンポとが一致しない場合には（ステップＳ１０２：ＮＯ）、ファイル初期テンポとファイル終了テンポとを算出する（ステップＳ１０４）。
【０１７４】
ここで、ファイル初期テンポとは、ジョギング本編のｉ番目のファイルにおける最初の曲のテンポであり、ファイル終了テンポとは、ジョギング本編のｉ番目のファイルにおける最後の曲又は記憶対象語群のテンポである。具体的に、制御部１１は、
ファイル初期テンポ＝（初期テンポ−終了テンポ）×（ＦＴ（１）〜ＦＴ（ｉ−１）の合計）／ジョギング時間
を計算すると共に、
ファイル終了テンポ＝（初期テンポ−終了テンポ）×（ＦＴ（１）〜ＦＴ（ｉ）の合計）／ジョギング時間
を計算する。
【０１７５】
次いで、制御部１１は、
（ファイル初期テンポ＋ファイル終了テンポ）／２
を計算し、この計算結果を走行テンポＴＭＰに設定する（ステップＳ１０５）。制御部１１は、この処理を終えると、ステップＳ１０６に移行する。
【０１７６】
制御部１１は、走行テンポＴＭＰを設定すると、
ＴＭＰ×ＦＴ（ｉ）／４
を計算し、この計算結果をファイル総小節数ＦＭに設定する（ステップＳ１０６）。
【０１７７】
次いで、制御部１１は、続くステップＳ１０７〜Ｓ１１７において、前奏の小節数と後奏の小節数とを設定する。
【０１７８】
先ず、制御部１１は、ファイル数Ｎが１であるか否かを判定する（ステップＳ１０７）。このとき、制御部１１は、ファイル数Ｎが１である場合には（ステップＳ１０７：ＹＥＳ）、演奏リストの先頭に４小節の前奏をセットすると共に、演奏リストの最後に２０小節の後奏をセットする（ステップＳ１０８）。
【０１７９】
次いで、制御部１１は、前奏小節数Ｐに４を設定すると共に、後奏小節数Ｅに２０を設定すると（ステップＳ１０９）、ステップＳ１５１に移行する。
【０１８０】
一方、制御部１１は、ファイル数Ｎが１ではない場合には（ステップＳ１０７：ＮＯ）、ファイル番号ｉが１であるか否かを判定する（ステップＳ１１０）。つまり、制御部１１は、現在処理しようとしているファイルが、最初のファイルであるか否かを判定するのである。このとき、制御部１１は、ファイル番号ｉが１である場合には（ステップＳ１１０：ＹＥＳ）、演奏リストの先頭に４小節の前奏をセットすると共に、演奏リストの最後に４小節の後奏をセットする（ステップＳ１１１）。
【０１８１】
次いで、制御部１１は、前奏小節数Ｐに４を設定すると共に、後奏小節数Ｅに４を設定すると（ステップＳ１１２）、ステップＳ１５１に移行する。
【０１８２】
一方、制御部１１は、ファイル番号ｉが１ではない場合には（ステップＳ１１０：ＮＯ）、ファイル番号ｉがファイル数Ｎと一致するか否かを判定する（ステップＳ１１３）。つまり、制御部１１は、現在処理しようとしているファイルが、最後のファイルであるか否かを判定するのである。このとき、制御部１１は、ファイル番号ｉがファイル数Ｎと一致する場合には（ステップＳ１１３：ＹＥＳ）、演奏リストの先頭に８小節の前奏をセットすると共に、演奏リストの最後に２０小節の後奏をセットする（ステップＳ１１４）。
【０１８３】
次いで、制御部１１は、前奏小節数Ｐに８を設定すると共に、後奏小節数Ｅに２０を設定すると（ステップＳ１１５）、ステップＳ１５１に移行する。
【０１８４】
一方、制御部１１は、ファイル番号ｉがファイル数Ｎと一致しない場合には（ステップＳ１１３：ＮＯ）、演奏リストの先頭に８小節の前奏をセットすると共に、演奏リストの最後に４小節の後奏をセットする（ステップＳ１１６）。
【０１８５】
次いで、制御部１１は、前奏小節数Ｐに８を設定すると共に、後奏小節数Ｅに４を設定すると（ステップＳ１１７）、ステップＳ１５１に移行する。
【０１８６】
制御部１１は、前奏の小節数と後奏の小節数とを設定すると、続くステップＳ１５１〜Ｓ１６５において、許容最長楽曲小節数ＭＰＭを設定する。
【０１８７】
先ず、制御部１１は、図１５に示すように、ファイル時間ＦＴ（ｉ）が３０分であるか否かを判定する（ステップＳ１５１）。このとき、制御部１１は、ファイル時間ＦＴ（ｉ）が３０分である場合には（ステップＳ１５１：ＹＥＳ）、許容最長楽曲小節数ＭＰＭに２１０を設定して（ステップＳ１５２）、ステップＳ１６６に移行する。
【０１８８】
一方、制御部１１は、ファイル時間ＦＴ（ｉ）が１５分である場合には（ステップＳ１５１：ＮＯ）、走行テンポＴＭＰが１９０ＢＰＭ以上であるか否かを判定する（ステップＳ１５３）。このとき、制御部１１は、走行テンポＴＭＰが１９０ＢＰＭ以上である場合には（ステップＳ１５３：ＹＥＳ）、許容最長楽曲小節数ＭＰＭに２１０を設定して（ステップＳ１５４）、ステップＳ１６６に移行する。
【０１８９】
一方、制御部１１は、走行テンポＴＭＰが１９０ＢＰＭ未満である場合には（ステップＳ１５３：ＮＯ）、走行テンポＴＭＰが１７０ＢＰＭ以上であるか否かを判定する（ステップＳ１５５）。このとき、制御部１１は、走行テンポＴＭＰが１７０ＢＰＭ以上である場合には（ステップＳ１５５：ＹＥＳ）、許容最長楽曲小節数ＭＰＭに１９６を設定して（ステップＳ１５６）、ステップＳ１６６に移行する。
【０１９０】
一方、制御部１１は、走行テンポＴＭＰが１７０ＢＰＭ未満である場合には（ステップＳ１５５：ＮＯ）、走行テンポＴＭＰが１５５ＢＰＭ以上であるか否かを判定する（ステップＳ１５７）。このとき、制御部１１は、走行テンポＴＭＰが１５５ＢＰＭ以上である場合には（ステップＳ１５７：ＹＥＳ）、許容最長楽曲小節数ＭＰＭに１７７を設定して（ステップＳ１５８）、ステップＳ１６６に移行する。
【０１９１】
一方、制御部１１は、走行テンポＴＭＰが１５５ＢＰＭ未満である場合には（ステップＳ１５７：ＮＯ）、走行テンポＴＭＰが１３０ＢＰＭ以上であるか否かを判定する（ステップＳ１５９）。このとき、制御部１１は、走行テンポＴＭＰが１３０ＢＰＭ以上である場合には（ステップＳ１５９：ＹＥＳ）、許容最長楽曲小節数ＭＰＭに１４６を設定して（ステップＳ１６０）、ステップＳ１６６に移行する。
【０１９２】
一方、制御部１１は、走行テンポＴＭＰが１３０ＢＰＭ未満である場合には（ステップＳ１５９：ＮＯ）、走行テンポＴＭＰが１２０ＢＰＭ以上であるか否かを判定する（ステップＳ１６１）。このとき、制御部１１は、走行テンポＴＭＰが１２０ＢＰＭ以上である場合には（ステップＳ１６１：ＹＥＳ）、許容最長楽曲小節数ＭＰＭに１３３を設定して（ステップＳ１６２）、ステップＳ１６６に移行する。
【０１９３】
一方、制御部１１は、走行テンポＴＭＰが１２０ＢＰＭ未満である場合には（ステップＳ１６１：ＮＯ）、走行テンポＴＭＰが１１０ＢＰＭ以上であるか否かを判定する（ステップＳ１６３）。このとき、制御部１１は、走行テンポＴＭＰが１１０ＢＰＭ以上である場合には（ステップＳ１６３：ＹＥＳ）、許容最長楽曲小節数ＭＰＭに１２１を設定して（ステップＳ１６４）、ステップＳ１６６に移行する。
【０１９４】
一方、制御部１１は、走行テンポＴＭＰが１１０ＢＰＭ未満である場合には（ステップＳ１６３：ＮＯ）、許容最長楽曲小節数ＭＰＭに１０８を設定して（ステップＳ１６５）、ステップＳ１６６に移行する。
【０１９５】
制御部１１は、許容最長楽曲小節数ＭＰＭを設定すると、続くステップＳ１６６〜Ｓ１７６において、ジョギング本編を構成する複数の楽曲又は記憶対象語群を選定する。
【０１９６】
先ず、制御部１１は、選択楽曲数Ｓに０を設定すると共に、合計楽曲小節数Ｍに０を設定する（ステップＳ１６６）。ここで、選択楽曲数Ｓは、これまでに選択された楽曲又は記憶対象語群の個数であり、合計楽曲小節数Ｍは、これまでに選択された楽曲（記憶対象語群を含む）の小節数の合計である。
【０１９７】
次いで、制御部１１は、１曲目の楽曲を選択するための楽曲選択処理を実行する（ステップＳ１６７）。
【０１９８】
楽曲選択処理において、制御部１１は、先ず、特定されたユーザの履歴情報を参照して、前回までにユーザが選択したアルバム、アーティスト又はジャンル（以下、単に「アルバム等」と称する）と、そのアルバム等に含まれる楽曲（記憶対象語群を含む）のリストと、を提示するＷＥＢページをユーザＰＣ２に送信する。この時制御部１１は、上記ステップＳ３の処理においていずれかの記憶対象語群の名称が入力されている場合、当該入力されている名称に対応する記憶対象語群を含む上記リストを提示する上記ＷＥＢページをユーザＰＣ２に送信する。
【０１９９】
ここで、ユーザＰＣ２を操作することによって、ユーザが、提示されたアルバム等（記憶対象語群を含む。以下同様）を別のアルバム等に変更せずに楽曲又は記憶対象語群を選択した場合には、その楽曲の楽曲選択リクエストがユーザＰＣ２から楽曲配信サーバ１に送信される。
【０２００】
一方、ユーザが、提示されたアルバム等を別のアルバム等に変更した場合には、選択されたアルバム等のアルバム等選択リクエストがユーザＰＣ２から楽曲配信サーバ１に送信され、制御部１１は、これに応じて、アルバム等のリストやアルバム等の検索メニューを提示するＷＥＢページデータをユーザＰＣ２に送信する。そして、ユーザがアルバム等を選択し、そのアルバム等に含まれる複数の楽曲又は記憶対象語群の中から所望する楽曲又は記憶対象語群を選択すると、その楽曲又は記憶対象語群の楽曲選択リクエストがユーザＰＣ２から楽曲配信サーバ１に送信される。
【０２０１】
制御部１１は、この選択リクエストを受信することによって、１曲目の楽曲データを特定し選定する。そして、制御部１１は、選定した楽曲を演奏リストの１曲目にセットする。
【０２０２】
ここで、制御部１１は、ユーザに楽曲を選択させる際に、選択可能な楽曲の小節数を許容最長楽曲小節数ＭＰＭ以下に制限する。例えば、制御部１１は、楽曲のリストを提示するＷＥＢページをユーザＰＣ２に送信する際、小節数が許容最長楽曲小節数ＭＰＭよりも多い楽曲をリストから除外する。
【０２０３】
なお、１曲目の楽曲選択の際においてアルバム等が選択された後、ユーザが、例えば「おまかせ選曲」を選択したら、制御部１１側で、選択されたアルバム等に含まれる複数の楽曲の中から予め決められた楽曲を演奏順に自動的に選択しても良いし、ランダムに楽曲を選択しても良い。このような場合にも、制御部１１は、小節数が許容最長楽曲小節数ＭＰＭ以下となる楽曲のみを選択する。
【０２０４】
次いで、制御部１１は、選択楽曲数Ｓに１を設定すると共に、Ｍ＋（１曲目の小節数−１）を計算し、この計算結果を合計楽曲小節数Ｍに設定する（ステップＳ１６８）。
【０２０５】
次いで、制御部１１は、２曲目の楽曲を選択するための楽曲選択処理を実行し（ステップＳ１６９）、その後、選択楽曲数Ｓに２を設定すると共に、Ｍ＋（２曲目の小節数−１）を計算し、この計算結果を合計楽曲小節数Ｍに設定する（ステップＳ１７０）。
【０２０６】
次いで、制御部１１は、３曲目の楽曲を選択するための楽曲選択処理を実行し（ステップＳ１７１）、その後、選択楽曲数Ｓに３を設定すると共に、Ｍ＋（３曲目の小節数−１）を計算し、この計算結果を合計楽曲小節数Ｍに設定する（ステップＳ１７２）。
【０２０７】
次いで、制御部１１は、ＦＭ−（Ｐ＋Ｅ＋Ｍ＋Ｓ×６）が許容最長楽曲小節数ＭＰＭの値以上であるか否かを判定する（ステップＳ１７３）。つまり、制御部１１は、前奏、後奏、これまでに選択されたＳ曲分の楽曲又は記憶対象語群及びＳ曲分の曲間部の小節数の合計を除いた、現時点での残り小節数が、Ｓ＋１曲目を選択可能な小節数であるか否かを判定するのである。
【０２０８】
このとき、制御部１１は、ＦＭ−（Ｐ＋Ｅ＋Ｍ＋Ｓ×６）が許容最長楽曲小節数ＭＰＭの値以上である場合には（ステップＳ１７３：ＹＥＳ）、Ｓ＋１曲目の楽曲を選択するための楽曲選択処理を実行する（ステップＳ１７４）。
【０２０９】
次いで、制御部１１は、
Ｍ＋（（Ｓ＋１）曲目の小節数−１）
を計算し、この計算結果を合計楽曲小節数Ｍに設定する（ステップＳ１７５）。
【０２１０】
次いで、制御部１１は、選択楽曲数Ｓに１を加算して（ステップＳ１７６）、ステップＳ１７３に移行する。
【０２１１】
このように、制御部１１は、楽曲又は記憶対象語群を次々と選定していき、楽曲又は記憶対象語群が入りきらなくなる場合、すなわち、ＦＭ−（Ｐ＋Ｅ＋Ｍ＋Ｓ×６）が許容最長楽曲小節数ＭＰＭの値未満となった場合には（ステップＳ１７３：ＮＯ）、ステップＳ２０１に移行する。
【０２１２】
なお、上記ステップＳ１７３乃至Ｓ１７６の処理において、演奏時間が演奏開始から１５分を経過した以降は、制御部１１は、楽曲ではなく記憶対象語群を選定していくこととなる。
【０２１３】
制御部１１は、楽曲の選定を終えると、続くステップＳ２０１〜Ｓ２２８において、およそ中心に位置する曲間（記憶対象語群の間を含む。以下図１５及び図１６を用いた説明において同様）に、可能な限り小節数が多い曲間部をセットする。なお、以下に図１５及び図１６を用いて説明する曲間部としては、記憶対象語は設定されない。
【０２１４】
先ず、制御部１１は、合計曲間小節数Ｋに０を設定すると共に、未セット曲間数ＺにＳ−１を設定する（ステップＳ２０１）。ここで、合計曲間小節数Ｋは、現時点で小節数が決まっている曲間の小節数の合計であり、未セット曲間数Ｚは、現時点で演奏リストにセットされていない曲間部の個数である。
【０２１５】
次いで、制御部１１は、（ＦＭ−（Ｐ＋Ｅ＋Ｍ＋１４４））／（Ｓ−２）が１２以上であるか否かを判定する（ステップＳ２０２）。つまり、制御部１１は、中心に位置する曲間に１４４小節の曲間部をセットしたとしても、残りの曲間夫々に最低限１２小節の曲間部をセットすることができるか否かを判定するのである。このとき、制御部１１は、（ＦＭ−（Ｐ＋Ｅ＋Ｍ＋１４４））／（Ｓ−２）が１２以上である場合には（ステップＳ２０２：ＹＥＳ）、セット小節数Ｊに１４４を設定して（ステップＳ２０３）、ステップＳ２２５に移行する。
【０２１６】
一方、制御部１１は、（ＦＭ−（Ｐ＋Ｅ＋Ｍ＋１４４））／（Ｓ−２）が１２未満である場合には（ステップＳ２０２：ＮＯ）、（ＦＭ−（Ｐ＋Ｅ＋Ｍ＋１３２））／（Ｓ−２）が１２以上であるか否かを判定する（ステップＳ２０４）。このとき、制御部１１は、（ＦＭ−（Ｐ＋Ｅ＋Ｍ＋１３２））／（Ｓ−２）が１２以上である場合には（ステップＳ２０４：ＹＥＳ）、セット小節数Ｊに１３２を設定して（ステップＳ２０５）、ステップＳ２２５に移行する。
【０２１７】
一方、制御部１１は、（ＦＭ−（Ｐ＋Ｅ＋Ｍ＋１３２））／（Ｓ−２）が１２未満である場合には（ステップＳ２０４：ＮＯ）、（ＦＭ−（Ｐ＋Ｅ＋Ｍ＋１２０））／（Ｓ−２）が１２以上であるか否かを判定する（ステップＳ２０６）。このとき、制御部１１は、（ＦＭ−（Ｐ＋Ｅ＋Ｍ＋１２０））／（Ｓ−２）が１２以上である場合には（ステップＳ２０６：ＹＥＳ）、セット小節数Ｊに１２０を設定して（ステップＳ２０７）、ステップＳ２２５に移行する。
【０２１８】
一方、制御部１１は、（ＦＭ−（Ｐ＋Ｅ＋Ｍ＋１２０））／（Ｓ−２）が１２未満である場合には（ステップＳ２０６：ＮＯ）、（ＦＭ−（Ｐ＋Ｅ＋Ｍ＋１０８））／（Ｓ−２）が１２以上であるか否かを判定する（ステップＳ２０８）。このとき、制御部１１は、（ＦＭ−（Ｐ＋Ｅ＋Ｍ＋１０８））／（Ｓ−２）が１２以上である場合には（ステップＳ２０８：ＹＥＳ）、セット小節数Ｊに１０８を設定して（ステップＳ２０９）、ステップＳ２２５に移行する。
【０２１９】
一方、制御部１１は、（ＦＭ−（Ｐ＋Ｅ＋Ｍ＋１０８））／（Ｓ−２）が１２未満である場合には（ステップＳ２０８：ＮＯ）、（ＦＭ−（Ｐ＋Ｅ＋Ｍ＋９６））／（Ｓ−２）が１２以上であるか否かを判定する（ステップＳ２１０）。このとき、制御部１１は、（ＦＭ−（Ｐ＋Ｅ＋Ｍ＋９６））／（Ｓ−２）が１２以上である場合には（ステップＳ２１０：ＹＥＳ）、セット小節数Ｊに９６を設定して（ステップＳ２１１）、ステップＳ２２５に移行する。
【０２２０】
一方、制御部１１は、（ＦＭ−（Ｐ＋Ｅ＋Ｍ＋９６））／（Ｓ−２）が１２未満である場合には（ステップＳ２１０：ＮＯ）、（ＦＭ−（Ｐ＋Ｅ＋Ｍ＋８４））／（Ｓ−２）が１２以上であるか否かを判定する（ステップＳ２１２）。このとき、制御部１１は、（ＦＭ−（Ｐ＋Ｅ＋Ｍ＋８４））／（Ｓ−２）が１２以上である場合には（ステップＳ２１２：ＹＥＳ）、セット小節数Ｊに８４を設定して（ステップＳ２１３）、ステップＳ２２５に移行する。
【０２２１】
一方、制御部１１は、（ＦＭ−（Ｐ＋Ｅ＋Ｍ＋８４））／（Ｓ−２）が１２未満である場合には（ステップＳ２１２：ＮＯ）、（ＦＭ−（Ｐ＋Ｅ＋Ｍ＋７２））／（Ｓ−２）が１２以上であるか否かを判定する（ステップＳ２１４）。このとき、制御部１１は、（ＦＭ−（Ｐ＋Ｅ＋Ｍ＋７２））／（Ｓ−２）が１２以上である場合には（ステップＳ２１４：ＹＥＳ）、セット小節数Ｊに７２を設定して（ステップＳ２１５）、ステップＳ２２５に移行する。
【０２２２】
一方、制御部１１は、（ＦＭ−（Ｐ＋Ｅ＋Ｍ＋７２））／（Ｓ−２）が１２未満である場合には（ステップＳ２１４：ＮＯ）、（ＦＭ−（Ｐ＋Ｅ＋Ｍ＋６０））／（Ｓ−２）が１２以上であるか否かを判定する（ステップＳ２１６）。このとき、制御部１１は、（ＦＭ−（Ｐ＋Ｅ＋Ｍ＋６０））／（Ｓ−２）が１２以上である場合には（ステップＳ２１６：ＹＥＳ）、セット小節数Ｊに６０を設定して（ステップＳ２１７）、ステップＳ２２５に移行する。
【０２２３】
一方、制御部１１は、（ＦＭ−（Ｐ＋Ｅ＋Ｍ＋６０））／（Ｓ−２）が１２未満である場合には（ステップＳ２１６：ＮＯ）、（ＦＭ−（Ｐ＋Ｅ＋Ｍ＋４８））／（Ｓ−２）が１２以上であるか否かを判定する（ステップＳ２１８）。このとき、制御部１１は、（ＦＭ−（Ｐ＋Ｅ＋Ｍ＋４８））／（Ｓ−２）が１２以上である場合には（ステップＳ２１８：ＹＥＳ）、セット小節数Ｊに４８を設定して（ステップＳ２１９）、ステップＳ２２５に移行する。
【０２２４】
一方、制御部１１は、（ＦＭ−（Ｐ＋Ｅ＋Ｍ＋４８））／（Ｓ−２）が１２未満である場合には（ステップＳ２１８：ＮＯ）、（ＦＭ−（Ｐ＋Ｅ＋Ｍ＋３６））／（Ｓ−２）が１２以上であるか否かを判定する（ステップＳ２２０）。このとき、制御部１１は、（ＦＭ−（Ｐ＋Ｅ＋Ｍ＋３６））／（Ｓ−２）が１２以上である場合には（ステップＳ２２０：ＹＥＳ）、セット小節数Ｊに３６を設定して（ステップＳ２２１）、ステップＳ２２５に移行する。
【０２２５】
一方、制御部１１は、（ＦＭ−（Ｐ＋Ｅ＋Ｍ＋３６））／（Ｓ−２）が１２未満である場合には（ステップＳ２２０：ＮＯ）、（ＦＭ−（Ｐ＋Ｅ＋Ｍ＋２４））／（Ｓ−２）が１２以上であるか否かを判定する（ステップＳ２２２）。このとき、制御部１１は、（ＦＭ−（Ｐ＋Ｅ＋Ｍ＋２４））／（Ｓ−２）が１２以上である場合には（ステップＳ２２２：ＹＥＳ）、セット小節数Ｊに２４を設定して（ステップＳ２２３）、ステップＳ２２５に移行する。
【０２２６】
一方、制御部１１は、（ＦＭ−（Ｐ＋Ｅ＋Ｍ＋２４））／（Ｓ−２）が１２未満である場合には（ステップＳ２２２：ＮＯ）、セット小節数Ｊに１２を設定して（ステップＳ２２４）、ステップＳ２２５に移行する。
【０２２７】
制御部１１は、セット小節数Ｊを設定すると、選択楽曲数Ｓが偶数であるか否かを判定する（ステップＳ２２５）。このとき、制御部１１は、選択楽曲数Ｓが偶数である場合には（ステップＳ２２５：ＹＥＳ）、セット小節数Ｊに設定された小節数の曲間部をＳ／２曲目の後にセットして（ステップＳ２２６）、ステップＳ２２８に移行する。
【０２２８】
一方、制御部１１は、選択楽曲数Ｓが奇数である場合には（ステップＳ２２５：ＮＯ）、セット小節数Ｊに設定された小節数の曲間部を（Ｓ＋１）／２曲目の後にセットして（ステップＳ２２７）、ステップＳ２２８に移行する。
【０２２９】
制御部は、セット小節数Ｊに設定された小節数の曲間部をセットすると、合計曲間小節数Ｋにセット小節数Ｊを加算すると共に、未セット曲関数Ｚから１を減算する（ステップＳ２２８）。
【０２３０】
次いで、制御部１１は、続くステップＳ２５１〜Ｓ２７８において、残りの曲間にも曲間部をセットする。
【０２３１】
先ず、制御部１１は、図１６に示すように、選択楽曲数Ｓから１を減算し（ステップＳ２５１）、未セット曲関数Ｚが０であるか否かを判定する（ステップＳ２５２）。つまり、制御部１１は、全ての曲間に曲間部をセットしたか否かを判定するのである。
【０２３２】
このとき、制御部１１は、未セット曲関数Ｚが０ではない場合には（ステップＳ２５２：ＮＯ）、（ＦＭ−（Ｐ＋Ｅ＋Ｍ＋Ｋ））／Ｚが１３２より大きいか否かを判定する（ステップＳ２５３）。つまり、制御部１１は、残りの曲間全てに１３２小節の曲間部をセットしても、全体の小節数がファイル総小節数未満に収まるか否かを判定するのである。このとき、制御部１１は、（ＦＭ−（Ｐ＋Ｅ＋Ｍ＋Ｋ））／Ｚ＞１３２より大きい場合には（ステップＳ２５３：ＹＥＳ）、セット小節数Ｊに１４４をセットして（ステップＳ２５４）、ステップＳ２７６に移行する。
【０２３３】
一方、制御部１１は、（ＦＭ−（Ｐ＋Ｅ＋Ｍ＋Ｋ））／Ｚが１３２以下である場合には（ステップＳ２５３：ＮＯ）、（ＦＭ−（Ｐ＋Ｅ＋Ｍ＋Ｋ））／Ｚが１２０より大きいか否かを判定する（ステップＳ２５５）。このとき、制御部１１は、（ＦＭ−（Ｐ＋Ｅ＋Ｍ＋Ｋ））／Ｚが１２０より大きい場合には（ステップＳ２５５：ＹＥＳ）、セット小節数Ｊに１３２をセットして（ステップＳ２５６）、ステップＳ２７６に移行する。
【０２３４】
一方、制御部１１は、（ＦＭ−（Ｐ＋Ｅ＋Ｍ＋Ｋ））／Ｚが１２０以下である場合には（ステップＳ２５５：ＮＯ）、（ＦＭ−（Ｐ＋Ｅ＋Ｍ＋Ｋ））／Ｚが１０８より大きいか否かを判定する（ステップＳ２５７）。このとき、制御部１１は、（ＦＭ−（Ｐ＋Ｅ＋Ｍ＋Ｋ））／Ｚが１０８より大きい場合には（ステップＳ２５７：ＹＥＳ）、セット小節数Ｊに１２０をセットして（ステップＳ２５８）、ステップＳ２７６に移行する。
【０２３５】
一方、制御部１１は、（ＦＭ−（Ｐ＋Ｅ＋Ｍ＋Ｋ））／Ｚが１０８以下である場合には（ステップＳ２５７：ＮＯ）、（ＦＭ−（Ｐ＋Ｅ＋Ｍ＋Ｋ））／Ｚが９６より大きいか否かを判定する（ステップＳ２５９）。このとき、制御部１１は、（ＦＭ−（Ｐ＋Ｅ＋Ｍ＋Ｋ））／Ｚが９６より大きい場合には（ステップＳ２５９：ＹＥＳ）、セット小節数Ｊに１０８をセットして（ステップＳ２６０）、ステップＳ２７６に移行する。
【０２３６】
一方、制御部１１は、（ＦＭ−（Ｐ＋Ｅ＋Ｍ＋Ｋ））／Ｚが９６以下である場合には（ステップＳ２５９：ＮＯ）、（ＦＭ−（Ｐ＋Ｅ＋Ｍ＋Ｋ））／Ｚが８４より大きいか否かを判定する（ステップＳ２６１）。このとき、制御部１１は、（ＦＭ−（Ｐ＋Ｅ＋Ｍ＋Ｋ））／Ｚが８４より大きい場合には（ステップＳ２６１：ＹＥＳ）、セット小節数Ｊに９６をセットして（ステップＳ２６２）、ステップＳ２７６に移行する。
【０２３７】
一方、制御部１１は、（ＦＭ−（Ｐ＋Ｅ＋Ｍ＋Ｋ））／Ｚが８４以下である場合には（ステップＳ２６１：ＮＯ）、（ＦＭ−（Ｐ＋Ｅ＋Ｍ＋Ｋ））／Ｚが７２より大きいか否かを判定する（ステップＳ２６３）。このとき、制御部１１は、（ＦＭ−（Ｐ＋Ｅ＋Ｍ＋Ｋ））／Ｚが７２より大きい場合には（ステップＳ２６３：ＹＥＳ）、セット小節数Ｊに８４をセットして（ステップＳ２６４）、ステップＳ２７６に移行する。
【０２３８】
一方、制御部１１は、（ＦＭ−（Ｐ＋Ｅ＋Ｍ＋Ｋ））／Ｚが７２以下である場合には（ステップＳ２６３：ＮＯ）、（ＦＭ−（Ｐ＋Ｅ＋Ｍ＋Ｋ））／Ｚが６０より大きいか否かを判定する（ステップＳ２６５）。このとき、制御部１１は、（ＦＭ−（Ｐ＋Ｅ＋Ｍ＋Ｋ））／Ｚが６０より大きい場合には（ステップＳ２６５：ＹＥＳ）、セット小節数Ｊに７２をセットして（ステップＳ２６６）、ステップＳ２７６に移行する。
【０２３９】
一方、制御部１１は、（ＦＭ−（Ｐ＋Ｅ＋Ｍ＋Ｋ））／Ｚが６０以下である場合には（ステップＳ２６５：ＮＯ）、（ＦＭ−（Ｐ＋Ｅ＋Ｍ＋Ｋ））／Ｚが４８より大きいか否かを判定する（ステップＳ２６７）。このとき、制御部１１は、（ＦＭ−（Ｐ＋Ｅ＋Ｍ＋Ｋ））／Ｚが４８より大きい場合には（ステップＳ２６７：ＹＥＳ）、セット小節数Ｊに６０をセットして（ステップＳ２６８）、ステップＳ２７６に移行する。
【０２４０】
一方、制御部１１は、（ＦＭ−（Ｐ＋Ｅ＋Ｍ＋Ｋ））／Ｚが４８以下である場合には（ステップＳ２６７：ＮＯ）、（ＦＭ−（Ｐ＋Ｅ＋Ｍ＋Ｋ））／Ｚが３６より大きいか否かを判定する（ステップＳ２６９）。このとき、制御部１１は、（ＦＭ−（Ｐ＋Ｅ＋Ｍ＋Ｋ））／Ｚが３６より大きい場合には（ステップＳ２６９：ＹＥＳ）、セット小節数Ｊに４８をセットして（ステップＳ２７０）、ステップＳ２７６に移行する。
【０２４１】
一方、制御部１１は、（ＦＭ−（Ｐ＋Ｅ＋Ｍ＋Ｋ））／Ｚが３６以下である場合には（ステップＳ２６９：ＮＯ）、（ＦＭ−（Ｐ＋Ｅ＋Ｍ＋Ｋ））／Ｚが２４より大きいか否かを判定する（ステップＳ２７１）。このとき、制御部１１は、（ＦＭ−（Ｐ＋Ｅ＋Ｍ＋Ｋ））／Ｚが２４より大きい場合には（ステップＳ２７１：ＹＥＳ）、セット小節数Ｊに３６をセットして（ステップＳ２７２）、ステップＳ２７６に移行する。
【０２４２】
一方、制御部１１は、（ＦＭ−（Ｐ＋Ｅ＋Ｍ＋Ｋ））／Ｚが２４以下である場合には（ステップＳ２７１：ＮＯ）、（ＦＭ−（Ｐ＋Ｅ＋Ｍ＋Ｋ））／Ｚが１２より大きいか否かを判定する（ステップＳ２７３）。このとき、制御部１１は、（ＦＭ−（Ｐ＋Ｅ＋Ｍ＋Ｋ））／Ｚが１２より大きい場合には（ステップＳ２７３：ＹＥＳ）、セット小節数Ｊに２４をセットして（ステップＳ２７４）、ステップＳ２７６に移行する。
【０２４３】
一方、制御部１１は、（ＦＭ−（Ｐ＋Ｅ＋Ｍ＋Ｋ））／Ｚが１２以下である場合には（ステップＳ２７３：ＮＯ）、セット小節数Ｊに１２をセットして（ステップＳ２７５）、ステップＳ２７６に移行する。
【０２４４】
制御部１１は、セット小節数Ｊを設定すると、演奏リストを参照して、Ｓ曲目の後に曲間部が既にセットされているか否かを判定する（ステップＳ２７６）。このとき、制御部１１は、Ｓ曲目の後に曲間部が既にセットされている場合には（ステップＳ２７６：ＹＥＳ）、ステップＳ２５１に移行する。
【０２４５】
一方、制御部１１は、Ｓ曲目の後に曲間部が未だセットされていない場合には、（ステップＳ２７６：ＮＯ）セット小節数Ｊに設定された小節数の曲間部を、Ｓ曲目の後にセットする。
【０２４６】
次いで、制御部１１は、合計曲間小節数Ｋにセット小節数Ｊを加算すると共に、未セット曲関数Ｚから１を減算して（ステップＳ２２８）、ステップＳ２５１に移行する。
【０２４７】
このようにして、制御部１１は、ステップＳ２５１〜Ｓ２７８の処理を繰り返し実行することにより全ての曲間又は記憶対象語群間に曲間部をセットし、曲間部をセットし終えると、ステップＳ２５２において未セット曲関数Ｚが０であると判定することにより（ステップＳ２５２：ＹＥＳ）、使用楽曲決定処理を終了させる。
【０２４８】
（３．３）ジョギング用楽曲データ作成処理
次に、ジョギング用楽曲データ等作成処理について、図１７を用いて説明する。
【０２４９】
図１７は、本実施形態に係る楽曲配信サーバ１の制御部１１のジョギング用楽曲データ作成処理における処理例を示すフローチャートである。
【０２５０】
ジョギング用楽曲データ作成処理が開始されると、図１７に示すように、制御部１１は、演奏リストにセットされている楽曲の楽曲本体データ又は記憶対象語群の記憶対象語音声データをパーツＷＡＶデータデータベースから取得すると共に、演奏リストにセットされている前奏、後奏及び曲間部の曲間つなぎデータをパーツＷＡＶデータデータベースから取得する（ステップＳ３０１）。このとき、各曲間つなぎデータは、その前に接続される楽曲本体データ又は記憶対象語音声データのリズムパターンとその後に接続される楽曲本体データのリズムパターンとに合わせたものが取得される。
【０２５１】
次いで、制御部１１は、取得した楽曲本体データ又は記憶対象語音声データ及び曲間つなぎデータを、演奏リストにセットされている順序で接続して、ジョギング本編部分のＷＡＶデータを作成する（ステップＳ３０２）。このとき、制御部１１は、各楽曲又は記憶対象語群の最初の１小節とその前の曲間部の最後の１小節とを重複させて接続する。
【０２５２】
次いで、制御部１１は、ファイルの初期テンポから最終テンポまで滑らかにテンポが変化するように小節単位でテンポの調整を行いながら、ジョギング本編部分のＷＡＶデータを変換する（ステップＳ３０３）。この結果、初期テンポ＝最終テンポである場合には、全小節が同一のテンポとなり、初期テンポ＜最終テンポである場合には、１小節毎にテンポが少しずつ上昇する。
【０２５３】
次いで、制御部１１は、ガイダンス音声の音声データを、対応する位置の曲間にセットされる曲間部の曲間つなぎデータに合成する（ステップＳ３０４）。
【０２５４】
次いで、制御部１１は、エンコーダ部１４によりジョギング本編部分のフォーマットをＭＰ３フォーマットに変換することによってｉ番目のジョギング用楽曲データのファイルを作成し、これを記憶部１２に記憶させる。（ステップＳ３０５）。
【０２５５】
次いで、制御部１１は、ｉ番目のジョギング用楽曲データ等のファイル名を設定する（ステップＳ３０６）。具体的に、制御部１１は、コース番号及び今日の日付を含むと共に、通し番号としてｉ＋１を含むファイル名を設定する。
【０２５６】
このようにして、制御部１１は、ジョギング用楽曲データ等をユーザＰＣ２によってダウンロード可能なように記憶させる。つまり、制御部１１は、ダウンロード用のＷＥＢページからユーザの選択に基づいてユーザＰＣ２から送信されてきたＵＲＬに対応するジョギング用楽曲データ等を記憶部１２から取得し送信することができるように、ジョギング用楽曲データ等を、記憶位置を示すパス及びファイル名を設定して記憶させるのである。
【０２５７】
制御部１１は、この処理を終えると、ジョギング用楽曲データ等作成処理を終了させる。
【０２５８】
以上説明したように、本実施形態によれば、記憶対象語を内容とする音声に相当し、且つ一定のテンポにおける強拍のタイミングのいずれかで音声におけるアクセントが発声されるように構成された記憶対象語音声データを楽曲配信サーバ１からユーザに配信するので、当該テンポに合わせて記憶対象語が聴きやすく発声されることで、当該記憶対象語の記憶（暗記）をより確実に行うことができる。
【０２５９】
また、記憶対象語音声データに係るテンポが、その記憶対象語音声データに対応する記憶対象語を記憶しようとするユーザが行う運動の速度に対応した一定のテンポであるので、運動のテンポに連動させて記憶対象語を発声しつつ記憶させることができ、当該記憶対象語の記憶をより確実に行うことができる。
【０２６０】
更に、運動用楽曲のテンポに連続したテンポを有する記憶対象語音声データを、ユーザの記憶力が向上する状態、すなわちランニングハイの状態に当該ユーザがなるために必要だとして予め設定されている演奏時間分の運動用楽曲の後に続いて再生されるように配信するので、当該記憶力を向上させて更に確実に記憶対象語の記憶を行うことができる。
【０２６１】
（４）変形形態
上述した実施形態では、記憶対象語としての記憶対象語音声データは予め楽曲配信サーバ１内に記憶されているものを使用したが、第一の変形形態として、この記憶対象語を、ユーザＰＣ２を扱うユーザが選択／設定できるように構成してもよい。
【０２６２】
すなわち、上記ステップＳ１０に係る使用楽曲決定処理のいずれかのステップにおいて、例えば図１８に例示する如き記憶対象語選択画面４００をユーザＰＣ２上に表示し、その中の記憶対象語入力欄４０１にそのユーザが記憶したい記憶対象語を、４分音符にそのアクセントを合わせつつ入力するように構成する。この場合、ユーザは、自信が記憶し易いように、記憶対象語のアクセントと、４分音符のいずれかと、を組み合わせて、記憶したい記憶対象語を入力するのが好適である。
【０２６３】
その後、入力された記憶対象語を構成するテキストを読み上げた記憶対象語音声データをユーザＰＣ２において生成する。
【０２６４】
そして、当該記憶対象語音声データをユーザＰＣ２から楽曲配信サーバ１に送信してステップＳ１０に係る使用楽曲決定処理に供させるのである。これにより、そのユーザが記憶したい記憶対象語を用いてジョギング用楽曲データ等を生成することができる。
【０２６５】
この第一の変形形態によれば、予め記憶部１２に蓄積されている記憶対象語音声データに代えて、ユーザがユーザＰＣ２を用いて自ら作成したオリジナルの記憶対象語を用いて楽曲配信サーバ１において記憶対象語音声データを生成して当該ユーザに送信して再生させることができるので、そのユーザ独自で記憶したいと所望するオリジナル記憶対象語を確実に記憶させることができる。
【０２６６】
また、第二の変形形態として、上述した実施形態では、原則として一小節における第一４分音符及び第三４分音符には全て記憶対象語を割り当てたが、これ以外に、第三４分音符及び第四４分音符には記憶対象語を全く割り当てない用に構成することもできる。
【０２６７】
この構成によれば、記憶対象語音声データにおいて、一小節中の第三４分音符及び第四４分音符に相当する区間が無音とされるので、記憶対象語の記憶が確実に行われたか否かをユーザが自ら復唱して確認する場合にも、当該記憶対象語音声データを用いることができる。
【０２６８】
また、上記実施形態においては、ジョギング用楽曲データに前奏の曲間つなぎデータと後奏の曲間つなぎデータとが挿入されるようにしていたが、何れか一方のみが挿入されるようにしても良いし、何れも挿入されないようにしても良い。
【０２６９】
更に、上記実施形態における楽曲配信サーバ１は、運動用楽曲として、ジョギングを行っている際に聴取されるジョギング用楽曲データを作成するようにしていたが、例えば、マラソンやウォーキング等を行っている際に聴取される運動用楽曲を作成するように構成しても良いし、エアロビクスやヨーガ、ピラティス・メソッド、マーシャルアーツ、ブートキャンプ、ダンス等を行っている際に聴取される運動用楽曲を作成するように構成しても良い。
【０２７０】
更にまた、図１２乃至図１７に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係る楽曲配信サーバ１内の制御部１１として活用することも可能である。
【図面の簡単な説明】
【０２７１】
【図１】一実施形態に係る通信システムＳの概要構成の一例を示すブロック図である。
【図２】一実施形態に係る楽曲配信サーバ１の概要構成の一例を示すブロック図である。
【図３】パーツＷＡＶデータデータベースに登録されるデータ、及び、楽曲配信サーバ１におけるソフトウェアの概要構成の一例を示す図である。
【図４】トレーニングコースを選択するためのメニュー構成の一例を示す図である。
【図５】あるトレーニングコースにおける、各ステップのジョギング用楽曲データの仕様の一例を示す図である。
【図６】各ステップにおけるジョギング用楽曲データの概要構成の一例を示す図であり、（ａ）は、ステップ１のジョギング用楽曲データであり、（ｂ）は、ステップ２のジョギング用楽曲データであり、（ｃ）は、ステップ３のジョギング用楽曲データであり、（ｄ）は、ステップ４のジョギング用楽曲データであり、（ｅ）は、ステップ５のジョギング用楽曲データであり、（ｆ）は、ステップ６のジョギング用楽曲データである。
【図７】各ジョギング時間におけるジョギング用楽曲データの概要構成の一例を示す図であり、（ａ）は、１５分の場合であり、（ｂ）は、３０分の場合であり、（ｃ）は、４５分の場合であり、（ｄ）は、６０分の場合であり、（ｅ）は、９０分の場合であり、（ｆ）は、１２０分の場合である。
【図８】ジョギング用楽曲データの１ファイルのデータ構造の概要例を示す図である。
【図９】記憶対象語音声データのデータ構造の概要例を示す図である。
【図１０】一実施形態に係る各種設定値等を示す図であり、（ａ）は、ジョギング本編部分の１ファイル中に含めることができる楽曲本体の曲数の最小値と最大値とを示す表であり、（ｂ）は、各走行テンポにおけるジョギング本編部分の１ファイルに含まれる小節数を示す表であり、（ｃ）は、前奏、曲間部及び後奏に用いられる曲間つなぎデータの小節数を示す表であり、（ｄ）は、ファイル時間が１５分の場合における各テンポの許容最長楽曲小節数を示す表である。
【図１１】ジョギング用楽曲データのジョギング本編部分の作成方法の一例を示す図である。
【図１２】一実施形態に係る楽曲配信サーバ１の制御部１１のメイン処理における処理例を示すフローチャートである。
【図１３】一実施形態に係る楽曲配信サーバ１の制御部１１の使用楽曲決定処理における処理例を示すフローチャートである。
【図１４】一実施形態に係る楽曲配信サーバ１の制御部１１の使用楽曲決定処理における処理例を示すフローチャートである。
【図１５】一実施形態に係る楽曲配信サーバ１の制御部１１の使用楽曲決定処理における処理例を示すフローチャートである。
【図１６】一実施形態に係る楽曲配信サーバ１の制御部１１の使用楽曲決定処理における処理例を示すフローチャートである。
【図１７】一実施形態に係る楽曲配信サーバ１の制御部１１のジョギング用楽曲データ作成処理における処理例を示すフローチャートである。
【図１８】変形形態に係る記憶対象語の作成画面を例示する図である。
【符号の説明】
【０２７２】
１    楽曲配信サーバ
２    ユーザＰＣ
３    携帯音楽プレーヤ
１１    制御部
１２    記憶部
１３    通信部
１４    エンコーダ部
１５    システムバス
１０１    楽曲本体ＷＡＶパーツデータ
１０２    ジョギングアレンジ曲間つなぎＷＡＶパーツデータ
１０３    ジョギングアレンジ音声ガイダンスＷＡＶパーツデータ
１０４    ＤＪ音声ＷＡＶパーツデータ
１０５    楽曲本体ＭＩＤＩデータ
１０６    ジョギングアレンジドラムベースＷＡＶデータ
２０１    パーツＷＡＶデータデータベースプログラム
２０２    サーバシステムプログラム
２０３    ＷＥＢサイトプログラム
２０４    楽曲本体ＷＡＶパーツデータ書き出しプログラム
３０１    記憶対象語ＷＡＶパーツデータ
３０４    記憶対象語ＷＡＶパーツデータ書き出しプログラム
３０５    記憶対象語ＭＩＤＩデータ
３０６    記憶対象語用ドラムベースＷＡＶデータ
４００    記憶対象語選択画面
４０１    記憶対象語入力欄
ＮＷ    ネットワーク
Ｓ    通信システム
【図１】
2010079069.tif 000003
【図２】
2010079069.tif 000004
【図３】
2010079069.tif 000005
【図４】
2010079069.tif 000006
【図５】
2010079069.tif 000007
【図６】
2010079069.tif 000008
【図７】
2010079069.tif 000009
【図８】
2010079069.tif 000010
【図９】
2010079069.tif 000011
【図１０】
2010079069.tif 000012
【図１１】
2010079069.tif 000013
【図１２】
2010079069.tif 000014
【図１３】
2010079069.tif 000015
【図１４】
2010079069.tif 000016
【図１５】
2010079069.tif 000017
【図１６】
2010079069.tif 000018
【図１７】
2010079069.tif 000019
【図１８】
2010079069.tif 000020